(57)【要約】  アレイベースのＰＣＲの画像を駆使した品質管理のためのシステムおよび方法が提供されている。このシステムは、ＰＣＲユニットと、反応アレイプレートと、ＰＣＲシステムにおける反応アレイプレートの画像シーケンスを受信するように構成された畳み込みニューラルネットワーク（ＣＮＮ）と、反応アレイプレートの制御に結合されたＣＮＮの出力と、を含む。この方法は、反応プレートアレイ上のＰＣＲシステムの動作中に、反応アレイプレートの複数のサブアレイからの画像シーケンスを複数のＣＮＮに適用することと、画像シーケンスに基づいて反応プレートの不良モード予測を生成するために、ＣＮＮを動作させることと、ＣＮＮの出力を、反応アレイプレートの製造またはＰＣＲシステムの制御のための１つ以上の設定に結合することと、を含む。【選択図】図１
2021535513.tif 000002
【特許請求の範囲】
【請求項１】
システムであって、
ＰＣＲシステムと、
反応アレイプレートと、
前記ＰＣＲシステムにおける前記反応アレイプレートの画像シーケンスを受信するように構成された畳み込みニューラルネットワーク（ＣＮＮ）と、
前記反応アレイプレートの制御に結合された前記ＣＮＮの出力と、を含む、システム。
【請求項２】
前記制御が、停止制御である、請求項１に記載のシステム。
【請求項３】
前記反応アレイプレートの貫通孔中心と前記ＣＮＮの層内のアレイとの間のマッピング機能をさらに含む、請求項１に記載のシステム。
【請求項４】
前記ＣＮＮの前記出力が、前記画像シーケンスをＲＯＸスポッティング予測、ＲＯＸストリッピング予測、明るいＲＯＸ予測、スポットポイントブリッジ予測、および再構築エラー予測に変換する、請求項１に記載のシステム。
【請求項５】
前記ＣＮＮが、最終的な完全に接続された出力層を欠いている、請求項１に記載のシステム。
【請求項６】
前記ＣＮＮから特徴指示を受信し、前記特徴指示を不良モード予測に変換するように結合された少なくとも１つのリカレントニューラルネットワーク（ＲＮＮ）をさらに含む、請求項５に記載のシステム。
【請求項７】
複数のＲＮＮを含み、複数のＲＮＮの予測が、パーセプトロンによって組み合わされて、少なくとも１つの不良モードの最終予測となる、請求項６に記載のシステム。
【請求項８】
前記ＣＮＮが、
５４ｘ５４アレイを備えた入力層と、
３２個の５４ｘ５４アレイを備えた第１の畳み込み層と、
６４個の１８ｘ１８アレイを備えた第２の畳み込み層と、をさらに含む、請求項１に記載のシステム。
【請求項９】
前記ＣＮＮが、
１９２個のノードを備えた第１の完全に接続された層と、
前記第１の完全に接続された層に結合され、４８個のノードを備えた、第２の完全に接続された層と、
前記第２の完全に接続された層に結合され、バイナリパスまたは失敗出力信号を生成する出力層と、をさらに備える、請求項８に記載のシステム。
【請求項１０】
前記出力層が、前記反応アレイプレートの不良モードの予測をさらに生成する、請求項９に記載のシステム。
【請求項１１】
方法であって、
反応アレイプレートに対してＰＣＲシステムを動作させることと、
前記反応プレートアレイに対する前記ＰＣＲシステムの動作中に、前記反応アレイプレートの複数のサブアレイからの画像シーケンスを複数の畳み込みニューラルネットワーク（ＣＮＮ）に適用することと、
前記画像シーケンスに基づいて前記反応プレートの不良モード予測を生成するために、前記ＣＮＮを動作させることと、
前記ＣＮＮの出力を、前記反応アレイプレートの製造または前記ＰＣＲシステムの制御のための設定のうちの１つ以上に結合することと、を含む、方法。
【請求項１２】
前記制御が、停止制御である、請求項１１に記載の方法。
【請求項１３】
前記反応アレイプレートの貫通孔中心を前記ＣＮＮの異なるものにマッピングすることをさらに含む、請求項１１に記載の方法。
【請求項１４】
前記ＣＮＮの前記出力が、前記画像シーケンスをＲＯＸスポッティング予測、ＲＯＸストリッピング予測、明るいＲＯＸ予測、スポットポイントブリッジ予測、および再構築エラー予測に変換する、請求項１１に記載の方法。
【請求項１５】
前記ＣＮＮのうちの１つ以上が、最終的な完全に接続された出力層を欠いている、請求項１１に記載の方法。
【請求項１６】
前記ＣＮＮから特徴指示を受信し、前記特徴指示を前記不良モード予測に変換するために、前記ＣＮＮの前記出力を少なくとも１つのリカレントニューラルネットワーク（ＲＮＮ）に結合することをさらに含む、請求項１５に記載の方法。
【請求項１７】
複数のＲＮＮを含み、複数のＲＮＮの予測が、パーセプトロンによって組み合わされて、少なくとも１つの不良モードの最終予測となる、請求項１６に記載の方法。
【発明の詳細な説明】
【背景技術】
【０００１】
深層学習は、非構造化生データから直接複雑かつ抽象的なパターンを学習するために、大量のデータでトレーニングされた大規模な深層ニューラルネットワークである。従来の機械学習アルゴリズムは、タスク固有であり、幅広い分野の専門知識を持つエンジニアによって設計された手作りの機能に大きく依存している。対照的に、深層学習には、生データから効果的な特徴を直接発見し、より単純な特徴を組み合わせることによって複雑な特徴を学習する優れた機能がある。深層学習は、画像分類、コンピュータビジョン、音声認識、自然言語処理（ＮＬＰ、ｎａｔｕｒａｌ  ｌａｎｇｕａｇｅ  ｐｒｏｃｅｓｓｉｎｇ）、医用画像診断などの様々な分野で、最先端のパフォーマンスを既に実証している。例えば、ＧｏｏｇｌｅおよびＭｉｃｒｏｓｏｆｔは、ＩｍａｇｅＮｅｔ画像分類タスクに畳み込みニューラルネットワーク（ＣＮＮ、Ｃｏｎｖｏｌｕｔｉｏｎ  Ｎｅｕｒａｌ  Ｎｅｔｗｏｒｋ）を適用し、画像分類で人間を上回る４．９％および４．６％のエラー率を報告した。
【０００２】
現在、ポリメラーゼ連鎖反応（ＰＣＲ、Ｐｏｌｙｍｅｒａｓｅ  Ｃｈａｉｎ  Ｒｅａｃｔｉｏｎｓ）の実行に利用されるアッセイ反応プレートなどの製造品質管理では、画像の再構築および品質管理（ＱＣ、ｑｕａｌｉｔｙ  ｃｏｎｔｒｏｌ）を手動で視覚的にチェックして問題を識別し、アッセイ反応プレートの製造の不良の根本原因を判定している。しかしながら、製造プロセス中に画像を視覚的にチェックすることは、時間がかかり、エラーが発生しやすく、面倒な作業である。また、生産能力が制限され、反応プレートアレイ製品の顧客への納品が遅れることがよくある。
【０００３】
いくつかのＰＣＲシステムは、最大スループットを実現するように設計されており、約４時間で最大４つの３，０７２反応プレートを同時に実行できる。このようなシステムおよび反応プレートは、わずかナノリットルの試料量を使用することが多く、試料およびアッセイをプレートアレイにローディングするための複雑なワークフローを備えた専用の器具が必要である。複雑なワークフローおよび消耗品の難しい使用は、感度および精度を低下させることにより、アレイの反応品質に影響を与える可能性がある。この複雑さの別の副作用は、アレイの製造歩留まりが低下することである。シートコーティング、再構築、または試料のローディングに関連するアレイ製造の不良は一般的である。例えば、ＰＣＲを実行しているアレイプレートには、以下を含むがこれらに限定されない特定のローディング関連のアーティファクトがある場合がある。
１．ブリッジング−流体がいくつかの隣接する反応ユニットの周りに溢れ、それらの間にブリッジを形成して、反応の完全性を損なう場合。
２．漏れ−反応プレートの封止ユニットが破損し、液体が外部チャンバに漏れる可能性がある。
３．アッセイスポッティングの問題−事前にスポッティングされたアッセイフォーマットについて、いくつかの反応ユニットにはアッセイがローディングされない場合がある。
【０００４】
これらのシートコーティング、再構築、または試料ローディングの問題は、再構築および品質管理（ＱＣ）画像を視覚的にチェックすることで検出できる。したがって、ＱＣ画像から問題を自動的に識別し、製造プロセス中の不良の根本原因を迅速に判定することが非常に重要である。ＰＣＲ反応は、ＯｐｅｎＡｒｒａｙまたは他のアレイベースのＰＣＲプラットフォームのＰＣＲの実行前、実行中、または実行後に撮影された画像で試料のローディングの問題などの異常な動作を示す可能性があるため、顧客対応ソフトウェアのこれらのタイプの不良モードを自動的に検出し、トラブルシューティングのステップを顧客にとってはるかに効率的かつ簡単にすることが望ましい。
【発明の概要】
【０００５】
本システムは、畳み込みニューラルネットワーク（ＣＮＮ）などの深層ニューラルネットワークを利用して、アレイプレートの再構築およびＱＣ画像の異常を検出し、不良モードを識別する。一定期間の正常シートおよび不良シートの両方を含むＱＣ画像は、製造データサーバから取得される。データは、正常または異なる不良モードに基づいて分類される。各ＱＣ画像には、１つまたは複数のサブアレイに関連付けられた２つ以上の不良モードがある場合があるため、ＱＣ画像は（例えば４８個の）サブアレイ画像に分割され、各サブアレイには、正常、または明るいＲｏｘ、Ｒｏｘスポッティング、Ｒｏｘストリッピング、ストップポイントブリッジング、および再構築エラーを含む５つの不良モードに注釈を付けられる。注釈付きサブアレイ画像は、ＣＮＮモデルのトレーニング、評価、および試験に使用される。次に、トレーニングされ、かつ検証されたモデルを使用して、アレイプレートの再構築およびＱＣ画像の不良およびそれらのモードを認識できる。
【０００６】
畳み込みニューラルネットワーク（ＣＮＮ）は、二次元または三次元でモデル化されたデータセットの特徴を分類するのに特に適している。これにより、画像をコンピュータメモリで三次元（幅と高さの二次元、色構成要素や強度などのピクセル特徴の三次元）で表すことができるため、ＣＮＮは画像分類により一般に普及している。例えば、サイズ４８０ｘ４８０ピクセルのカラーＪＥＧ画像は、４８０ｘ４８０ｘ３のアレイを使用して、コンピュータメモリモデル化でき、三次元の各値は、０〜２５５の範囲のピクセルの赤、緑、または青の色構成要素の強度である。この数値のアレイをトレーニングされたＣＮＮに入力すると、画像が特定のクラスになる確率を表す出力が生成される（猫の場合は．８０、犬の場合は．１５、鳥の場合は．０５など）。画像分類は、入力画像を撮影し、クラス（猫、犬など）または画像を最もよく表すクラスの確率を出力するタスクである。
【０００７】
基本的に、ＣＮＮはデータセットを入力し、一連の畳み込み変換、非線形活性化関数（ＲＥＬＵなど）、プーリング工程（ｍａｘｐｏｏｌなどのダウンサンプリング）、および出力層（ｓｏｆｔｍａｘなど）を通過させて分類を生成する。
任意の特定の要素または行為の考察を容易に識別するために、参照番号における最上位桁（複数可）は、その要素が最初に導入された、図の番号を指す。
【図面の簡単な説明】
【０００８】
【図１】一実施形態によるｑＰＣＲシステム１００を示す。
【図２】一実施形態によるプロセス２００を示す。
【図３】一実施形態によるプレート調製３００を示す。
【図４】一実施形態によるＱＣ画像条件４００を示す。
【図５】一実施形態による畳み込みニューラルネットワーク５００を示す。
【図６】一実施形態による畳み込みニューラルネットワーク層６００を示す。
【図７】一実施形態によるプレート調製７００を示す。
【図８】一実施形態によるＰＣＲ品質管理システム８００を示す。
【図９】一実施形態によるＰＣＲ品質管理システム９００を示す。
【図１０】一実施形態による検証結果１０００を示す。
【図１１】一実施形態による検証結果１１００を示す。
【図１２】一実施形態によるＰＣＲ品質管理システム１２００を示す。
【図１３】一実施形態によるリカレントニューラルネットワーク１３００を示す。
【図１４】一実施形態によるＰＣＲ品質管理システム１４００を示す。
【図１５】一実施形態によるＰＣＲ品質管理システム１５００を示す。
【図１６】一実施形態によるクラウド学習および制御システム１６００を示す。
【図１７】本発明の実施形態を組み込むことができるコンピューティングデバイス１７００の例示的なブロック図。
【発明を実施するための形態】
【０００９】
ＰＣＲアッセイアレイの背景で説明されているローディングの問題は、ＰＣＲ反応の実行前、実行中、または実行後に撮影された画像を評価することで検出され得る。畳み込みニューラルネットワーク（ＣＮＮ）は、異常のないＰＣＲ実行のデータを使用したトレーニングに基づいて、不良モードを認識し、未知の（分類されていない）不良モードを識別するようにトレーニングされ、かつ適用される。
【００１０】
不良モードを示す特徴の人間による識別に依存する従来のトラブルシューティング方法と比較して、ＣＮＮは感度および特異性を向上させ、以前は分類されていなかった問題の認識を学習できる。単一または複数のＣＮＮは、直列または並列に適用できる。いくつかの実施形態では、リカレントニューラルネットワーク（ＲＮＮ）は、ＣＮＮと合わせて適用され得る。
【００１１】
一実施形態によれば、深層ニューラルネットワーク、より具体的には畳み込みニューラルネットワーク（ＣＮＮ）を利用して、ＯｐｅｎＡｒｒａｙ（登録商標）再構築およびＱＣ画像の異常を検出し、不良モードを識別することができる。ＯｐｅｎＡｒｒａｙ  ＱＣ画像は、ＯｐｅｎＡｒｒａｙ製造データサーバからダウンロードできる。これには、以前の器具実行からの正常シートと不良シートの両方が含まれる。次に、データは、正常モードまたは異なる不良モードに基づいて分類できる。各ＱＣ画像には、１つまたは複数のサブアレイに関連付けられた２つ以上の不良モードが含まれる場合があるため、プロセスはＱＣ画像を（例えば）４８個のサブアレイ画像に分割し、各サブアレイに正常、または明るいＲｏｘ、Ｒｏｘスポッティング、Ｒｏｘストリッピング、ストップポイントブリッジング、および再構築エラーを含む５つの不良モードの１つ以上に注釈を付けることができる。注釈付きサブアレイ画像は、ＣＮＮモデルのトレーニング、評価、および試験に使用される。次に、トレーニングされ、かつ検証されたモデルを利用して、ＯｐｅｎＡｒｒａｙの再構築およびＱＣ画像の不良およびそれらのモードを認識できる。
【００１２】
一実施形態では、深層学習ニューラルネットワークを動作させて不良モードを識別するプロセスは、以下を伴い得る。
４．製造データサーバから正常および不良のプレートのアレイ品質管理（ＱＣ）画像をダウンロードすること。
５．ＱＣ画像ごとに、スポット発見アルゴリズムを使用してアレイ内のすべての貫通孔（反応ユニット）中心を発見し、識別された貫通孔中心に基づいてアレイ画像全体を４８個のサブアレイ画像に分割する。
６．４８個のサブアレイ画像すべてを注釈ツールにローディングし、それらを視覚的に検査して、正常、または明るいＲｏｘ、Ｒｏｘスポッティング、Ｒｏｘストリッピング、ストップポイントブリッジング、および再構築エラーを含む５つの不良モードとして標識付けする。
７．すべてのＱＣ画像に対して２）および３）を繰り返して、注釈付きのトレーニングおよび検証データセットを構築する。
８．トレーニングするネットワークとして、１つ以上の隠れ層を持つ畳み込みニューラルネットワークを使用する。
９．完全に接続された層を出力層として使用して、入力サブアレイ画像の予測を出力する。
１０．Ｓｏｆｔｍａｘクロスエントロピーコスト関数を適用して、予測と注釈付き標識との間の損失を計算する。
１１．Ａｄａｍオプティマイザーまたは他の勾配降下オプティマイザーを使用して上述のネットワークの重みを更新し、各トレーニングステップでトレーニングデータセットからランダムに選択されたトレーニング試料のミニバッチに対する損失を最小化する。
１２．予め定められたトレーニングステップ数に達するまでトレーニングプロセスを継続し、特定のトレーニングステップごとにトレーニングされたネットワークを保存する。
１３．トレーニングプロセスに含まれていない検証データセット内のサブアレイ画像の独立したサブセットによって、トレーニングプロセス中に保存された、トレーニングされたモデルを評価する。最良のトレーニングされたモデルとして、評価損失またはエラー率が最小のトレーニングされたモデルを選択する。
１４．貫通孔の中心が識別された新しいＱＣ画像の場合、アレイ画像全体をいくつかの数（４８個など）のサブアレイ画像に分割する。選択された、トレーニングされたモデルをこれらのサブアレイ画像に適用して、正常または不良を予測する。すべてのサブアレイ画像が良好である場合、アレイＱＣは正常であり、それ以外の場合、アレイＱＣは不良になる。システムはまた、どの１つ以上のサブアレイが不良になるか、かつどの不良モードであるかを予測することもできる。
１５．ノイズ、回転、並進オフセット、明るさもしくはコントラストの変化、または敵対的生成ネット（ＧＡＮ）によるシミュレートされたサブアレイ画像の追加などのデータ拡張技術を使用して、トレーニングされたモデルの堅牢性を向上させることができる。
１６．トレーニング中に、ドロップアウトまたは重み減衰などの技術を使用して、トレーニングされたモデルの一般性を向上させることができる。
【００１３】
図１は、反応プレート１０４、試料ローディング器具１０２、リアルタイムＰＣＲ器具１０８、試料混合物１０６、コンピュータシステム１２４、およびユーザインターフェース１３０を含むｑＰＣＲシステム１００を示す。反応プレート１０４は、各々がｑＰＣＲ実験のための反応位置として機能する複数の貫通孔を備えた複数のサブアレイを備える。貫通孔の各々は、アッセイ１１０でコーティングすることができる。いくつかの構成では、アッセイ１１０は、試料ＤＮＡ中のヌクレオチド配列を特異的に標的とするプローブである。試料ＤＮＡの増幅中、プローブは、リアルタイムＰＣＲ器具１０８によって検出されるレポーター色素の放出を介して、標的配列の存在を示す。反応プレート１０４は、試料ローディング器具１０２において標的ポリヌクレオチド配列１１２と組み合わされる。反応プレート１０４を標的ポリヌクレオチド配列１１２と組み合わせる前に、標的ポリヌクレオチド配列１１２は、反応混合物１１８を含む試料混合物１０６において調製される。反応混合物１１８は、少なくとも、ポリメラーゼ１１６、プライマー１３６、および受動参照色素１１４を含む。ポリメラーゼ１１６は、ＰＣＲ反応中に二本鎖ＤＮＡを増幅する。試料ローディング器具１０２は、特定の量の試料混合物１０６を、反応プレート１０４内の意図された各貫通孔にローディングする。試料ローディング器具１０２が反応プレート１０４の調製を完了すると、反応プレート１０４はリアルタイムＰＣＲ器具１０８にローディングされる。リアルタイムＰＣＲ器具１０８は、ＤＮＡ複製のための特定のフェーズを誘発する異なる温度範囲を循環するサーモサイクラーを含む。第１のフェーズは、二本鎖ＤＮＡを変性させる高温フェーズである。次のフェーズでは、プライマーおよびポリメラーゼを標的ポリヌクレオチド配列１１２の近くの位置にアニーリングし、アッセイ１１０が標的ポリヌクレオチド配列１１２とハイブリダイズすることを可能にする。第３のフェーズは、ポリメラーゼがＤＮＡ鎖の複製を開始する伸長／複製フェーズである。複製フェーズの間、ポリメラーゼ１１６は、ハイブリダイズされたアッセイ１１０および標的ポリヌクレオチド配列１１２に遭遇し得る。ポリメラーゼ１１６がアッセイ１１０に遭遇すると、アッセイ１１０のレポーター色素が切断され、その結果、貫通孔で蛍光信号が観察される。リアルタイムＰＣＲ器具１０８は、複製プロセス中に貫通孔の各々からレポーター色素を検出する検出器１２０を備える。検出された信号は、メモリ１２６、ならびに情報を保存し、かつ処理して、試料混合物１０６内の標的配列のコピー数およびインスタンスを示すクラスター分析プロット１３２を生成するプロセッサ１２８を備えたコンピュータシステム１２４に報告される。リアルタイムＰＣＲ器具１０８は、受動参照色素画像１３４を捕捉するカメラ１２２を追加的に備える。受動参照色素画像１３４は、試料ローディング器具１０２による反応プレート１０４の成功したローディングの定性的指標として利用され、かつクラスター分析プロット１３２からの任意の異常な結果への洞察を提供し得る。クラスター分析プロット１３２および受動参照色素画像１３４の両方は、ユーザインターフェース１３０を介して表示可能であり得る。
【００１４】
当業者に通知されるように、ＰＣＲ分析は、遺伝子標的を増幅するために複数の熱サイクルを循環するための様々なプロトコルを有する熱循環器具において実施される。本教示の様々な実施形態では、増幅のために実施されるサイクル数は、約２０〜４０サイクルであり得る。本教示の様々な実施形態では、増幅のために実施されるサイクル数は、４０サイクルより大きくてもよい。遺伝子標的の増幅のために、熱サイクリング器具は、第１の熱サイクル数に関連付けられ得る特定のサイクル時間で、ＰＣＲ実験の第１の熱サイクルを実施し得る。
【００１５】
遺伝子型決定分析の様々な実施形態では、２つ以上のＤＮＡ試料が、第１のプローブおよび第２のプローブでプローブされる。プロセッサは、データ収集のための様々なプロトコルのいずれかに基づいてｑＰＣＲ器具から受信することができ、第１回目の第１のデータセットは、２つ以上のＤＮＡ試料の各々について、第１回目の第１のプローブ強度および第２のプローブ強度を含む。プロセッサは、データ収集のための様々なプロトコルのいずれかに基づいてｑＰＣＲ器具から受信することができ、第２回目の第２のデータセットは、２つ以上のＤＮＡ試料の各々について、第２回目の第１のプローブ強度および第２のプローブ強度を含む。
【００１６】
本教示の様々な実施形態によれば、ユーザインターフェースは、第１回目および第２回目に受信されたデータセットの分析のための視覚化ツールをエンドユーザに提示することができる。前述のように、複数の試料をバッチで遺伝子型決定分析のために処理して、データ集約型のデータセットを生成することができる。本教示によるシステムおよび方法の様々な実施形態は、このようなデータ集約型データセットの評価および分析においてエンドユーザを支援し得る視覚化ツールの実施形態を提供する。本教示によるシステムおよび方法の様々な実施形態について、エンドユーザからの入力に応答して、プロセッサは、第１のデータセットを使用して、第１のプローブ強度対第２のプローブ強度の第１のプロットを生成し得る。さらに、プロセッサは、エンドユーザからの入力に応答して、第２のデータセットを使用して、第２のプローブ強度の関数として第１のプローブ強度の第２のプロットを生成し得る。本教示のシステムおよび方法の様々な実施形態によれば、プロセッサは、エンドユーザからの入力に応答して、第１のプロットおよび第２のプロットを表示し得る。様々な実施形態では、入力は、データを段階的に表示するためのユーザインターフェースを備えた対話型プロセスであり得る。このような実施形態では、エンドユーザは、表示のために任意の順序で任意のデータセットを選択し得る。
【００１７】
様々な実施形態では、プロセッサは、ＰＣＲ実験の実行時間中にデータを受信し得る。例えば、プロセッサは、第１のデータセットの収集後、かつ第２のデータセットの収集の前に、ｑＰＣＲ器具から第１のデータセットを受信し得る。さらに、このプロトコルは、実行時間全体にわたって拡張され得、その結果、例えば、プロセッサは、第２のデータセットの収集後、かつ後続のデータセットの収集の前に、ｑＰＣＲ器具から第２のデータセットを受信し得る。
【００１８】
いくつかの実施形態では、プロセッサは、熱サイクルが完了した後、ｑＰＣＲ器具から第１のデータセットおよび第２のデータセットを受信し得る。例えば、プロセッサは、コンピュータ可読媒体に保存された後、第１のデータセットおよび第２のデータセットを受信し得る。
【００１９】
いくつかの構成では、視覚化ツールは、エンドユーザが遺伝子型決定データセットの様々な側面を表示するのを支援し、それによって遺伝子型決定データの分析を容易にすることができる。様々な実施形態では、プロセッサは、第２のデータセットと第１のデータセットとの間の軌道線を示すプロットを表示することができる。様々な実施形態では、プロセッサは、第１のデータセットの第１のプロット品質値上に表示し、第２のデータセットの第２のプロット品質値上に表示することができる。様々な実施形態によれば、ユーザインターフェースは、試料テーブル上で行われ、遺伝子型決定データのプロット上に動的に表示される選択間の相互作用を提供する。様々な実施形態では、エンドユーザによって行われた、視覚化ツールのユーザインターフェースからの選択は例えば、エンドユーザが例えば、曖昧なエンドポイントデータのトラブルシューティングを行い、手動呼び出しを行い、軌跡線を使用してクラスターの視覚化を支援し、遺伝子型の割り当てを強化し、アッセイ条件（つまり、標識プローブ、アッセイバッファーなど）を最適化し、かつ分析条件を最適化するが、それらに限定されないことを可能にするための動的分析を提供し得るが、それに限定されない。
【００２０】
様々な実施形態では、システムは、例えば、クラスター分析プロット１３２に示されたグラフに従って、表され得るデータセットを利用するがそれに限定されない。このような表現は、異なる波長で発光する２つの色素を利用した分析から生じる可能性があり、これらの色素は、生物学的試料のゲノム遺伝子座の２つの対立遺伝子のうちの１つに向けられた標識プローブの各々に関連付けることができる。このような二重反応では、３つの潜在的な遺伝子型の各々について個別の信号セットが生成される。クラスター分析プロットに示されているように、信号２と信号１のデカルト座標系では、このようなグラフィック表現に示されている各データポイントは、所与の３つの個別の信号セットのうちの１つに座標を有する場合がある。したがって、各データポイントについて、複数の試料の個別の信号セットをデータセット内のデータポイントとして保存し得る。このようなデータセットは、様々なコンピュータ可読媒体に保存され、分析中または分析後に動的に分析され得、これについては、後で詳しく説明する。
【００２１】
遺伝子型決定データの視覚化のための方法およびシステムの実施形態の特徴を実証するために使用されるこのようなタイプのアッセイの１つは、ＴａｑＭａｎ（登録商標）試薬を利用することができ、例えば、後に議論されるように、ＦＡＭおよびＶＩＣ色素標識を使用し得るがそれらに限定されない。しかしながら、当業者は、本教示の方法およびシステムの様々な実施形態によって分析され得るデータを生成するために、標識プローブ試薬を含む様々なアッセイが利用され得ることを認識するであろう。
【００２２】
「標識プローブ」という用語は概して、様々な実施形態によれば、典型的には定量分析またはｑＰＣＲ分析、およびエンドポイント分析のために、増幅反応で使用される分子を指す。このような標識プローブは、標的ポリヌクレオチドの増幅を監視するために使用され得る。いくつかの実施形態では、増幅反応に存在するオリゴヌクレオチド標識プローブは、時間の関数として生成されるアンプリコン（複数可）の量を監視するのに好適である。このようなオリゴヌクレオチド標識プローブには、本明細書に記載の５’−エキソヌクレアーゼアッセイＴａｑＭａｎ（登録商標）標識プローブ（米国特許第５，５３８，８４８号も参照）、様々なステムループ分子ビーコン（例えば、米国特許第Ｎｏ．６，１０３，４７６号および第５，９２５，５１７号およびＴｙａｇｉ  ａｎｄ  Ｋｒａｍｅｒ，１９９６，Ｎａｔｕｒｅ  Ｂｉｏｔｅｃｈｎｏｌｏｇｙ  １４：３０３−３０８を参照）、ステムレスまたは線形ビーコン（例えば、ＷＯ９９／２１８８１を参照）、ＰＮＡ  Ｍｏｌｅｃｕｌａｒ  Ｂｅａｃｏｎｓ（商標）（例えば、米国特許第６，３５５，４２１号および第６，５９３，０９１号を参照）、線形ＰＮＡビーコン（例えば、Ｋｕｂｉｓｔａ  ｅｔ  ａｌ．，２００１，ＳＰＩＥ４２６４：５３−５８を参照）、非ＦＲＥＴ標識プローブ（例えば、米国特許第６，１５０，０９７号を参照）、Ｓｕｎｒｉｓｅ（登録商標）／Ａｍｐｌｉｆｌｕｏｒ（登録商標）標識プローブ（米国特許第６，５４８，２５０号）、ステムループおよびデュプレックスＳｃｏｒｐｉｏｎ（商標）標識プローブ（Ｓｏｌｉｎａｓ  ｅｔ  ａｌ．，２００１，Ｎｕｃｌｅｉｃ  Ａｃｉｄｓ  Ｒｅｓｅａｒｃｈ  ２９：Ｅ９６および米国特許第６，５８９，７４３号）、バルジループ標識プローブ（米国特許第６，５９０，０９１号）、疑似ノット標識プローブ（米国特許第６，５８９，２５０号）、サイクリコン（米国特許第６，３８３，７５２号）、ＭＧＢ  Ｅｃｌｉｐｓｅ（商標）プローブ（Ｅｐｏｃｈ  Ｂｉｏｓｃｉｅｎｃｅｓ）、ヘアピン標識プローブ（米国特許第６，５９６，４９０号）、ペプチド核酸（ＰＮＡ）ライトアップ標識プローブ、自己組織化ナノ粒子標識プローブ、ならびに、例えば、米国特許第６，４８５，９０１号、Ｍｈｌａｎｇａ  ｅｔ  ａｌ．，２００１，Ｍｅｔｈｏｄｓ  ２５：４６３−４７１；Ｗｈｉｔｃｏｍｂｅ  ｅｔ  ａｌ．，１９９９，Ｎａｔｕｒｅ  Ｂｉｏｔｅｃｈｎｏｌｏｇｙ１７：８０４−８０７、Ｉｓａｃｓｓｏｎ  ｅｔ  ａｌ．，２０００，Ｍｏｌｅｃｕｌａｒ  Ｃｅｌｌ  Ｌａｂｅｌｉｎｇ  ｐｒｏｂｅｓ．１４：３２１−３２８、Ｓｖａｎｖｉｋ  ｅｔ  ａｌ．，２０００，Ａｎａｌ  Ｂｉｏｃｈｅｍ．２８１：２６−３５、Ｗｏｌｆｆｓ  ｅｔ  ａｌ．，２００１，Ｂｉｏｔｅｃｈｎｉｑｕｅｓ７６６：７６９−７７１、Ｔｓｏｕｒｋａｓ  ｅｔ  ａｌ．，２００２，Ｎｕｃｌｅｉｃ  Ａｃｉｄｓ  Ｒｅｓｅａｒｃｈ３０：４２０８−４２１５、Ｒｉｃｃｅｌｌｉ  ｅｔ  ａｌ．，２００２，Ｎｕｃｌｅｉｃ  Ａｃｉｄｓ  Ｒｅｓｅａｒｃｈ３０：４０８８−４０９３、Ｚｈａｎｇ  ｅｔ  ａｌ．，２００２  Ｓｈａｎｇｈａｉ．３４：３２９−３３２、Ｍａｘｗｅｌｌ  ｅｔ  ａｌ．，２００２，Ｊ．Ａｍ．Ｃｈｅ��．Ｓｏｃ．１２４：９６０６−９６１２、Ｂｒｏｕｄｅ  ｅｔ  ａｌ．，２００２，Ｔｒｅｎｄｓ  Ｂｉｏｔｅｃｈｎｏｌ、２０：２４９−５６、Ｈｕａｎｇ  ｅｔ  ａｌ．，２００２，Ｃｈｅｍ  Ｒｅｓ．Ｔｏｘｉｃｏｌ．１５：１１８−１２６、およびＹｕ  ｅｔ  ａｌ．，２００１，Ｊ．Ａｍ．Ｃｈｅｍ．Ｓｏｃ．１４：１１１５５−１１１６１に記載されている、フェロセン修飾標識プローブを含むが、それらに限定されない。標識プローブは、ブラックホールクエンチャー（Ｂｉｏｓｅａｒｃｈ）、アイオワブラック（ＩＤＴ）、ＱＳＹクエンチャー（分子標識プローブ）、およびＤａｂｓｙｌおよびＤａｂｃｅｌスルホン酸塩／カルボン酸塩クエンチャー（Ｅｐｏｃｈ）を含むこともできる。標識プローブは、２つのプローブを含むことができ、例えば、蛍光体が一方のプローブ上にあり、クエンチャーが他方の上にあり、標的上の２つのプローブのハイブリダイゼーションがともに信号を消光させるか、または標的上のハイブリダイゼーションが、蛍光の変化を介して信号特性を変化させる。標識プローブはまた、カルボン酸基の代わりにスルホン酸基を有するフルオレセイン色素のスルホン酸誘導体、フルオレセインのホスホルアミダイト形態、ＣＹ５のホスホルアミダイト形態（例えば、Ａｍｅｒｓｈａｍから入手可能）を含み得る。
【００２３】
本明細書で使用される場合、「核酸試料」という用語は、本教示による生物学的試料中に見出される核酸を指す。試料は、侵襲的または非侵襲的に収集され得ることが企図される。試料は、繊維、織物、紙巻きタバコ、チューインガム、接着剤、土壌、または無生物上に、それらにおいて、それらの中にあるか、またはそれらと合わせて見出されることができる。本明細書で使用される「試料」は、その最も広い意味で使用され、遺伝子標的または標的ポリヌクレオチドが誘導され得る核酸を含む試料を指す。試料は、細胞、細胞から単離された染色体（例えば、中期染色体の広がり）、ゲノムＤＮＡ、ＲＮＡ、ｃＤＮＡなどを含むことができる。試料は、植物、家畜、家庭用ペット、およびヒトの試料を含むがそれらに限定されない、核酸を含有する任意の生物を包含する動物または野菜起源のものであり得、複数の供給源に由来し得る。これらの供給源には、全血、毛髪、血液、尿、組織生検、リンパ液、骨、骨髄、歯、羊水、毛髪、皮膚、精液、肛門分泌物、膣分泌物、発汗、唾液、頬スワブ、様々な環境試料（農業、水、土壌など）、研究試料、精製試料、および溶解細胞が含まれるが、これらに限定されない。標的ポリヌクレオチド配列を含む核酸試料は、例えば、機械的力、超音波処理、制限エンドヌクレアーゼ切断または当技術分野で知られている任意の方法などの手順の使用を含む、当技術分野で知られている様々な試料調製手順のいずれかを使用して試料から単離できることが理解されよう。
【００２４】
本明細書で使用される「標的ポリヌクレオチド」、「遺伝子標的」などの用語は、本明細書で交換可能に使用され、目的の特定の核酸配列を指す。「標的」は、増幅が求められ、他の核酸分子の存在下で、またはより大きな核酸分子内に存在することができるポリヌクレオチド配列であり得る。標的ポリヌクレオチドは、任意の供給源から得ることができ、任意の数の異なる組成構成要素を含むことができる。例えば、標的は核酸（例えば、ＤＮＡまたはＲＮＡ）であり得る。標的は、メチル化、非メチル化、またはその両方であり得る。さらに、目的の特定の核酸配列の文脈で使用される「標的」は、その代用物、例えば増幅産物、および天然配列をさらに指すことが理解されよう。いくつかの実施形態では、目的の特定の核酸配列は、例えば、法医学試料に見出され得るような、分解された供給源に由来する短いＤＮＡ分子である。本教示の対象となる特定の核酸配列は、上に列挙したように、いくつかの生物および供給源のいずれかに由来することができる。
【００２５】
本明細書で使用される場合、「ＤＮＡ」は、ゲノムＤＮＡ、ｃＤＮＡ、単離された核酸分子、ベクターＤＮＡ、および染色体ＤＮＡなど、当技術分野で理解される様々な形態のデオキシリボ核酸を指す。「核酸」は、あらゆる形態のＤＮＡまたはＲＮＡを指す。単離された核酸分子の例には、ベクターに含まれる組換えＤＮＡ分子、異種宿主細胞に維持される組換えＤＮＡ分子、部分的または実質的に精製された核酸分子、および合成ＤＮＡ分子が含まれるが、それらに限定されない。典型的には、「単離された」核酸は、核酸が由来する生物のゲノムＤＮＡにおいて、核酸に自然に隣接する配列（すなわち、核酸の５’および３’末端に位置する配列）を含まない。さらに、ｃＤＮＡ分子などの「単離された」核酸分子は概して、組換え技術によって生成される場合、他の細胞材料または培養培地を実質的に含まず、または化学合成される場合、化学前駆体または他の化学物質を含まない。
【００２６】
いくつかの実施形態では、ＰＣＲ増幅産物は、例えば、ＰＣＴ特許出願第ＷＯ２００９／０５９０４９号に記載されているように、ＰＣＲ増幅プライマーにコンジュゲートされた蛍光色素によって検出され得る。ＰＣＲ増幅産物は、増幅産物の染色、例えば銀染色などを含むがこれらに限定されない他の技術によっても検出することができる。
【００２７】
いくつかの実施形態では、検出は、器具を含み、すなわち、コンピュータアルゴリズムを含むことができるが、含む必要はない自動または半自動の検出手段を使用する。いくつかの実施形態では、器具は、携帯型、可搬型であるか、または、例えば、増幅産物の検出が行われる実験室、病院、または他の環境にある、可動性または可搬型の低い構成要素に挿入できる携帯型構成要素を含む。特定の実施形態では、検出ステップは、少なくとも１つの増幅ステップ、１つの配列判定ステップ、１つの単離ステップ、１つの分離ステップ、例えば、少なくとも１つの蛍光スキャナを含むキャピラリー電気泳動器具、少なくとも１つのグラフ化、記録、もしくは読み取り構成要素、吸光度モニタもしくは蛍光スキャナおよびグラフレコーダと結合されたクロマトグラフィーカラム、記録および／もしくは検出構成要素を備えた質量分析計と結合されたクロマトグラフィーカラム、少なくとも１つのＵＶ／可視光スキャナおよび少なくとも１つのグラフ化、記録、または読み取り構成要素を備えた分光光度計器具、スキャナもしくはＣＣＤカメラなどのデータ記録デバイスを備えたマイクロアレイ、または、少なくとも１つの蛍光スキャナおよび少なくとも１つのグラフ化、記録、もしくは読み取り構成要素を備えた配列判定器具から選択された検出構成要素を有する配列判定器具、蛍光体標識された可逆的ターミネーターヌクレオチドを含む合成器具による配列判定、ＤＮＡポリメラーゼによるヌクレオチドの取り込みに続くピロリン酸塩（ＰＰｉ）の放出の検出を含むパイロ配列判定法、ペアエンド配列判定、ポロニー配列判定、単一分子配列判定、ナノポア配列判定、および、ハイブリダイゼーションによる、もしくは参照により本明細書に組み込まれる、Ｌｉｎ，Ｂ  ｅｔ  ａｌ．“Ｒｅｃｅｎｔ  Ｐａｔｅｎｔｓ  ｏｎ  Ｂｉｏｍｅｄｉｃａｌ  Ｅｎｇｉｎｅｅｒｉｎｇ（２００８）１（１）６０−６７に記載されるライゲーションによる配列判定と組み合わされるか、またはそれらの継続である。
【００２８】
特定の実施形態では、検出ステップは、増幅ステップ、例えば、Ｑ−ＰＣＲなどのリアルタイム分析と組み合わされるがそれに限定されない。検出ステップを実施するための例示的な手段には、ＡＢＩ  ＰＲＩＳＭ（登録商標）Ｇｅｎｅｔｉｃ  Ａｎａｌｙｚｅｒ器具シリーズ、ＡＢＩ  ＰＲＩＳＭ（登録商標）ＤＮＡ  Ａｎａｌｙｚｅｒ器具シリーズ、ＡＢＩ  ＰＲＩＳＭ（登録商標）配列検出システム器具シリーズ、およびＡｐｐｌｉｅｄ  ＢｉｏｓｙｓｔｅｍｓリアルタイムＰＣＲ器具シリーズ（すべてＡｐｐｌｉｅｄ  Ｂｉｏｓｙｓｔｅｍｓ製）、ならびに、Ａｐｐｌｉｅｄ  ＢｉｏｓｙｓｔｅｍｓマイクロアレイおよびＡｐｐｌｉｅｄ  Ｂｉｏｓｙｓｔｅｍｓ  １７００化学発光マイクロアレイアナライザー、その他の市販のマイクロアレイなどのマイクロアレイおよび関連ソフトウェア、ならびに、とりわけ、Ａｆｆｙｍｅｔｒｉｘ、ＡｇｉｌｅｎｔおよびＡｍｅｒｓｈａｍ  Ｂｉｏｓｃｉｅｎｃｅｓなどから入手できる分析システム（Ｇｅｒｒｙ  ｅｔ  ａｌ．，Ｊ．Ｍｏｌ．Ｂｉｏｌ．２９２：２５１−６２，１９９９、Ｄｅ  Ｂｅｌｌｉｓ  ｅｔ  ａｌ．，Ｍｉｎｅｒｖａ  Ｂｉｏｔｅｃ  １４：２４７−５２，２００２、およびＳｔｅａｒｓ  ｅｔ  ａｌ．，Ｎａｔ．Ｍｅｄ．９：１４０−４５，２００３（補足を含む）も参照）またはビーズアレイプラットフォーム（イルミナ、カリフォルニア州サンディエゴ）が含まれる。例示的なソフトウェアには、ＧｅｎｅＭａｐｐｅｒ（商標）ソフトウェア、ＧｅｎｅＳｃａｎ（登録商標）分析ソフトウェア、およびＧｅｎｏｔｙｐｅｒ（登録商標）ソフトウェア（すべてＡｐｐｌｉｅｄ  Ｂｉｏｓｙｓｔｅｍｓ製）が含まれる。
【００２９】
いくつかの実施形態では、増幅産物は、アンプリコンの少なくとも一部の質量電荷比（ｍ／ｚ）に基づいて検出し、かつ定量化することができる。例えば、いくつかの実施形態では、プライマーは、増幅産物に組み込まれ、質量分析計の検出に使用することができる質量タグ、電荷タグ、切断可能部分、または同位体を含むがそれらに限定されない、質量分析適合性レポーターグループを含む（例えば、Ｈａｆｆ  ａｎｄ  Ｓｍｉｒｎｏｖ，Ｎｕｃｌ．Ａｃｉｄｓ  Ｒｅｓ．２５：３７４９−５０，１９９７、およびＳａｕｅｒｅｔ  ｅｔ  ａｌ．，Ｎｕｃｌ．Ａｃｉｄｓ  Ｒｅｓ．３１：ｅ６３，２００３も参照）。増幅産物は、質量分析によって検出することができる。いくつかの実施形態では、プライマーは、検出のための増幅産物の一部の放出を容易にするために、制限酵素部位、切断可能部分などを含む。特定の実施形態では、多数の増幅産物は、液体クロマトグラフィーまたはキャピラリー電気泳動によって分離され、ＥＳＩまたはＭＡＬＤＩに供され、そして質量分析によって検出される。質量分析の説明は、とりわけ、Ｔｈｅ  Ｅｘｐａｎｄｉｎｇ  Ｒｏｌｅ  ｏｆ  Ｍａｓｓ  Ｓｐｅｃｔｒｏｍｅｔｒｙ  ｉｎ  Ｂｉｏｔｅｃｈｎｏｌｏｇｙ，Ｇａｒｙ  Ｓｉｕｚｄａｋ，ＭＣＣ  Ｐｒｅｓｓ，２００３に記載されている。
【００３０】
いくつかの実施形態では、検出することは、手動または視覚的な読み取りまたは評価、またはそれらの組み合わせを含む。いくつかの実施形態では、検出することは、自動化または半自動化されたデジタルまたはアナログの読み取りを含む。いくつかの実施形態では、検出することは、リアルタイム分析またはエンドポイント分析を含む。いくつかの実施形態では、検出することは、ＴａｑＭａｎ（登録商標）低密度アレイ（Ａｐｐｌｉｅｄ  Ｂｉｏｓｙｓｔｅｍｓ）を含むがそれに限定されないマイクロ流体デバイスを含む。いくつかの実施形態では、検出することは、リアルタイム検出器具を含む。例示的なリアルタイム器具には、ＡＢＩ  ＰＲＩＳＭ（登録商標）７０００配列検出システム、ＡＢＩ  ＰＲＩＳＭ（登録商標）７７００配列検出システム、Ａｐｐｌｉｅｄ  Ｂｉｏｓｙｓｔｅｍｓ７３００リアルタイムＰＣＲシステム、Ａｐｐｌｉｅｄ  Ｂｉｏｓｙｓｔｅｍｓ７５００リアルタイムＰＣＲシステム、Ａｐｐｌｉｅｄ  Ｂｉｏｓｙｓｔｅｍｓ７９００  ＨＴ、高速リアルタイムＰＣＲシステム（すべてＡｐｐｌｉｅｄ  Ｂｉｏｓｙｓｔｅｍｓ製）、ＬｉｇｈｔＣｙｃｌｅｒ（商標）システム（ロシュモレキュラー）、Ｍｘ３０００Ｐ（商標）リアルタイムＰＣＲシステム、Ｍｘ３００５Ｐ（登録商標）リアルタイムＰＣＲシステム、およびＭｘ４０００（登録商標）マルチプレックス定量ＰＣＲシステム（Ｓｔｒａｔａｇｅｎｅ、カリフォルニア州ラホーヤ）、ならびにスマートサイクラーシステム（Ｃｅｐｈｅｉｄ、Ｆｉｓｈｅｒ  Ｓｃｉｅｎｔｉｆｉｃにより流通）が含まれる。リアルタイム器具の説明は、とりわけ、それぞれの製造社のユーザのマニュアル、ＭｃＰｈｅｒｓｏｎ、ＤＮＡ  Ａｍｐｌｉｆｉｃａｔｉｏｎ：Ｃｕｒｒｅｎｔ  Ｔｅｃｈｎｏｌｏｇｉｅｓ  ａｎｄ  Ａｐｐｌｉｃａｔｉｏｎｓ，Ｄｅｍｉｄｏｖ  ａｎｄ  Ｂｒｏｕｄｅ，ｅｄｓ．，Ｈｏｒｉｚｏｎ  Ｂｉｏｓｃｉｅｎｃｅ，２００４、および米国特許第６，８１４，９３４号に記載されている。
【００３１】
「増幅反応混合物」および／または「マスターミックス」という用語は、標的核酸を増幅するために使用される様々な（いくつかまたはすべての）試薬を含む水溶液を指し得る。かかる反応は、固体支持体または半固体支持体（例えば、アレイ）を使用して実施される場合もある。反応は、ユーザによって所望に応じてシングルプレックスまたはマルチプレックス型式で実施される場合もある。これらの反応は、典型的には、酵素、水性緩衝液、塩、増幅プライマー、標的核酸、およびヌクレオシド三リン酸を含む。増幅反応混合物および／またはマスターミックスは、例えば、緩衝液（例えば、Ｔｒｉｓ）、１つ以上の塩（例えば、ＭｇＣ、ＫＣｌ）、グリセロール、ｄＮＴＰ（ｄＡ、ｄＴ、ｄＧ、ｄＣ、ｄＵ）、組換えＢＳＡ（ウシ血清アルブミン）、色素（例えば、ＲＯＸ受動参照色素）、１つ以上の洗剤、ポリエチレングリコール（ＰＥＧ）、ポリビニルピロリドン（ＰＶＰ）、ゼラチン（例えば、魚もしくはウシ源）、および／または消泡剤のうちの１つ以上を含み得る。状況に応じて、混合物は、完全または不完全増幅反応混合物のいずれかであり得る。いくつかの実施形態では、マスターミックスは、増幅反応での使用前に増幅プライマーを含まない。いくつかの実施形態では、マスターミックスは、増幅反応での使用前に標的酢酸を含まない。いくつかの実施形態では、増幅マスターミックスは、増幅プライマーとの接触前に標的核酸試料と混合される。
【００３２】
いくつかの実施形態では、増幅反応混合物は、増幅プライマーおよびマスターミックスを含む。いくつかの実施形態では、増幅反応混合物は、増幅プライマー、検出可能に標識付けられたプローブおよびマスターミックスを含む。
【００３３】
いくつかの実施形態では、増幅プライマーおよびマスターミックスの反応混合物、または増幅プライマー、プローブ、およびマスターミックスの反応混合物は、保管容器または反応容器内で乾燥する。いくつかの実施形態では、増幅プライマーおよびマスターミックスの反応混合物、または増幅プライマー、プローブ、およびマスターミックスの反応混合物は、保管容器または反応容器内で凍結乾燥する。いくつかの実施形態では、本開示は概して、単一の対照核酸分子からの複数の標的特異的配列の増幅に関する。例えば、いくつかの実施形態では、単一の対照核酸分子はＲＮＡを含むことができ、他の実施形態では、その単一の対照核酸分子は、ＤＮＡを含むことができる。標的特異的プライマーおよびプライマー対は、核酸分子の特定の領域、例えば、対照核酸分子を増幅することができる標的特異的配列である。いくつかの実施形態では、標的特異的プライマーは、ＲＮＡの逆転写をプライミングして、標的特異的ｃＤＮＡを生成することができる。いくつかの実施形態では、標的特異的プライマーは、標的ＤＮＡまたはｃＤＮＡを増幅することができる。いくつかの実施形態では、選択的増幅に必要ＤＮＡの量は、約１ｎｇ〜１マイクログラムであり得る。いくつかの実施形態では、１つ以上の標的配列の選択的増幅に必要なＤＮＡの量は、約１ｎｇ、約５ｎｇ、または約１０ｎｇである。いくつかの実施形態では、標的配列の選択的増幅に必要なＤＮＡの量は、約１０ｎｇ〜約２００ｎｇである。
【００３４】
本明細書で使用される場合、「反応容器」という用語は、概して、反応が本教示によって生じ得る任意の容器、チャンバ、デバイス、カード、プレート、チップ、アレイ、またはアセンブリを指す。いくつかの実施形態では、反応容器は、例えば、Ｍｉｃｒｏ  Ａｍｐ（商標）Ｏｐｔｉｃａｌ  ｔｕｂｅ（Ｌｉｆｅ  Ｔｅｃｈｎｏｌｏｇｉｅｓ  Ｃｏｒｐ．、カリフォルニア州カールスバッド）などの０．２ｍＬまたは０．５ｍＬ反応管、もしくは微小遠心管などの、しかしそれらに限定されない微小管、または分子生物学研究所で一般的に実用される種類の他の容器であり得る。いくつかの実施形態では、反応容器は、マルチウェルプレート（４８、９６、または３８４ウェルマイクロタイタープレートなど）のウェル、スライドガラス上のスポット、マイクロ流体デバイスのＴａｑＭａｎ（商標）Ａｒｒａｙ  ＣａｒｄまたはＴａｑＭａｎ（商標）低密度アレイを含むが、それに限定されないチャネルもしくはチャンバ内のウェル、またはＴａｑＭａｎ（商標）ＯｐｅｎＡｒｒａｙ（商標）リアルタイムＰＣＲプレートの貫通孔（Ａｐｐｌｉｅｄ  Ｂｉｏｓｙｓｔｅｍｓ、Ｔｈｅｒｍｏ  Ｆｉｓｈｅｒ  Ｓｃｉｅｎｔｉｆｉｃ）を含む。例えば、限定ではないが、複数の反応容器が同じ支持体上に存在することができる。例えば、ＯｐｅｎＡｒｒａｙ（商標）プレートは反応プレート３０７２貫通孔である。かかるプレート内のかかる貫通孔は、単一のＴａｑＭａｎ（商標）アッセイを含み得る。いくつかの実施形態では、例えばＣａｌｉｐｅｒまたはＦｌｕｉｄｉｇｍから入手可能なラボオンチップ型デバイスは、反応容器を提供することができる。様々な反応容器が市販されているか、または本教示との関連で使用するために設計され得ることが認識されるであろう。
【００３５】
「ハイブリダイズする」および「アニールする」という基語の変形を含むが、これらに限定されない「アニールすること」および「ハイブリダイズすること」という用語は、互換的に使用され、二本鎖、三本鎖、または他のより高次の構造の形成をもたらす、１つの核酸の別の核酸とのヌクレオチド塩基対合相互作用を意味する。一次相互作用は、典型的には、ヌクレオチド塩基特異的であり、例えば、ワトソン・クリックおよびフーグスティーン型水素結合による、Ａ：Ｔ、Ａ：Ｕ、およびＧ：Ｃである。特定の実施形態では、塩基の積み重ねおよび疎水性相互作用は、二本鎖の安定性にも寄与し得る。プライマーおよびプローブが相補的配列にアニールする条件は、当該技術分野で周知であり、例えば、Ｎｕｃｌｅｉｃ  Ａｃｉｄ  Ｈｙｂｒｉｄｉｚａｔｉｏｎ，Ａ  Ｐｒａｃｔｉｃａｌ  Ａｐｐｒｏａｃｈ，Ｈａｍｅｓ  ａｎｄ  Ｈｉｇｇｉｎｓ，ｅｄｓ．，ＩＲＬ  Ｐｒｅｓｓ，Ｗａｓｈｉｎｇｔｏｎ，Ｄ．Ｃ．（１９８５）およびＷｅｔｍｕｒ  ａｎｄ  Ｄａｖｉｄｓｏｎ，Ｍｏｌ．Ｂｉｏｌ．３１：３４９（１９６８）に記載されている。
【００３６】
概して、かかるアニーリングが行われるかは、とりわけ、標的隣接配列および／もしくはアンプリコン中のプライマーの相補的部分の相補的部分およびそれらの対応する結合部位、またはレポータープローブの対応する相補的部分およびその結合部位の長さ、ｐＨ、温度、一価および二価陽イオンの存在、ハイブリダイズしている領域内のＧヌクレオチドとＣヌクレオチドの割合、培地の粘度、ならびに変性剤の存在によって影響される。このような可変物は、ハイブリダイゼーションに必要な時間に影響を及ぼす。したがって、好ましいアニーリング条件は、特定の用途に依存するであろう。しかしながら、このような条件は、過度の実験なしに当業者によって日常的に判定され得る。好ましくは、アニーリング条件は、プライマーおよび／またはプローブが、対応する標的隣接配列またはアンプリコン中の相補的配列と選択的にハイブリダイズするが、第２の反応温度で反応組成物中の異なる標的核酸または非標的配列に著しい程度にハイブリダイズしないことを可能にするように選択される。
【００３７】
図２は、ＰＣＲ増幅、具体的にはＰＣＲ増幅で利用される５’ヌクレアーゼアッセイで利用される一実施形態によるプロセス２００を示す。プロセス２００は、すべてのサイクルで発生し、生成物の指数関数的蓄積を妨害しないこのアッセイプロセスの４つのステージを示している。４つのステージは、重合フェーズ２０２、鎖置換フェーズ２０４、切断フェーズ２０６、および完了フェーズ２０８を含む。重合フェーズ２０２の間に、順方向プライマーおよび逆方向プライマーは、標的配列２１０の近くの二本鎖ＤＮＡ２１０のセクションの複製を開始する。順方向プライマー（５’−＞３’）は、ＤＮＡポリメラーゼが不活性である温度で機能し、不要な複製を回避するホットスタートポリメラーゼ２２４（Ｔａｑポリメラーゼ）を含む。プローブ２１２は、レポーター色素２１８、相補配列２２６、非蛍光クエンチャー２２０、および副溝結合剤２２２を含む。プローブ２１２は、相補配列２２６を介して標的配列２１０にハイブリダイズする。非蛍光消光剤２２０および副溝結合剤２２２は、分子がプローブ２１２の３’末端に付着するように機能する。プローブが無傷である場合、非蛍光クエンチャー２２０（ＮＦＱ、ｎｏｎ−ｆｌｕｏｒｅｓｃｅｎｔ  ｑｕｅｎｃｈｅｒ）は、レポーター色素２１８が蛍光信号を発するのを防ぐ。非蛍光消光剤２２０は蛍光を発しないので、より低い背景信号を生成し、その結果、定量化の精度が向上する。副溝結合剤２２２（ＭＧＢ、ｍｉｎｏｒ  ｇｒｏｏｖｅ  ｂｉｎｄｅｒ）は、プローブの長さを増やさずにプローブの溶融温度（Ｔｍ）を上げ、より短いプローブの設計を可能にする。重合フェーズ２０２の間、ホットスタートポリメラーゼ２２４は、レポーター色素２１８がプローブ２１２の５’側に付着した状態でプローブ２１２に向かって移動する。
【００３８】
鎖置換フェーズ２０４では、ホットスタートポリメラーゼ２２４は、レポーター色素２１８を置換するハイブリダイズしたプローブ２１２と相互作用する。切断フェーズ２０６では、ホットスタートポリメラーゼ２２４は、プローブ２１２からレポーター色素２１８を切断する。切断により、レポーター色素がクエンチャー色素から分離される。非蛍光消光剤２２０がレポーター色素２１８をもはや遮断しないと、分離されたレポーター色素２１６はその蛍光を増加させる。蛍光の増加は、標的配列がプローブに相補的であり、ＰＣＲ中に増幅される場合にのみ発生する。器具は、二本鎖ＤＮＡ２１４上の標的配列の存在を示すレポーター色素からの蛍光を検出する。プローブ２１２の標的配列２１０へのハイブリダイゼーションのために、ホットスタートポリメラーゼ２２４は、完了フェーズ２０８を示す相補的配列２２６で停止する。
【００３９】
図３は、反応プレート１０４がｒｔＰＣＲ器具にローディングされる前のプレート調製３００を示す。反応プレート１０４は、複数のサブアレイを含み、各サブアレイ３０８は、複数の貫通アレイ貫通孔３０４を含む。各貫通孔は、アッセイ１１０の反応位置として機能し得る。いくつかの構成では、反応プレート１０４は４８個のサブアレイを備え、各サブアレイは、各々３３ｎＬの反応体積を保持することができる６４個の貫通孔を備える。前述の構成では、反応プレート１０４は、３０７２個の貫通孔を備える。
【００４０】
反応プレート１０４の構成に応じて、アレイ貫通孔３０４のいくつかは、それらの中にスポットされたアッセイ１１０を含むであろう。各貫通孔は、アッセイ１１０をスポットすることができる親水性内部を備える。親水性の貫通孔は、反応を封じ込める疎水性の表面にも囲まれている。
【００４１】
設定された体積を各所望のアレイ貫通孔３０４に正確にローディングするために、試料ローディング器具１０２が利用される。試料ローディング器具１０２は、設定された量の試料混合物１０６を反応プレート１０４の各所望の貫通孔にアリコートする。いくつかの構成では、チップブロック３１０は、試料ローディング器具１０２によって利用されて、試料混合物を反応プレート１０４の貫通孔に分配する。
【００４２】
試料ローディング器具１０２が運転されると、チップブロック３１０は、反応プレート１０４を横切って移動することができ、設定された量の試料混合物１０６が特定のアレイ貫通孔３０４に送達されることを可能にする。試料ローディング器具１０２がその実行を完了すると、反応プレート１０４は、ローディングされた反応プレート３０６に変換され、ここで、複数のサブアレイ、例えば、サブアレイ３１２は、標的ポリヌクレオチド配列１１２を含むローディングされた貫通孔３０２を備える。
【００４３】
図４を参照すると、ＱＣ画像条件４００は、不十分なデータ収集につながる特徴的な欠陥を示す受動参照色素画像を示している。スポットされた試料プレートがｒｔＰＣＲ器具にローディングされると、スポットされたプレートの画像が蛍光灯の下で撮影される。蛍光灯により、受動参照色素が蛍光を発し、試料混合物（すなわち、標的ポリヌクレオチドおよび反応混合物）の存在を示す。受動参照色素画像は、器具に関連付けられたコンピュータシステムによって収集され、かつ保存される。受動参照色素画像は、品質管理プロセスの早い段階で分析して、試料をアレイプレートにスポットすることに関連付けられたエラーがあったかどうかを判断し得る。
【００４４】
画像４０２は、グリッドパターンに配置された明るく照らされたドットを示す正常画像を示している。各ドットは貫通孔を表し、正常画像は、均一な背景で同じ明るさのすべての貫通孔を示している。
【００４５】
画像４０４、画像４０６、画像４０８、画像４１０、および画像４１２は、アレイプレートのスポッティングに関連付けられた共通の不良状態を表している。画像４０４は、明るいロックスと呼ばれる不良状態のうちの１つを表している。明るいＲＯＸは、他の貫通孔と比較して、いくつかの貫通孔に明るいスポット４１６が見えることを示している。明るいスポット４１６は、プレートの不適切なスポッティングを示し得る、より明るい貫通孔における受動参照色素のより高い存在を示し得る。画像４０６は、ランダムな貫通孔が他の貫通孔よりも暗く見え、アレイプレート全体に分布しているＲＯＸスポッティングを表している。場合によっては、より暗い貫通孔は、部分的にローディングされた貫通孔を示している可能性がある。画像４０８は、いくつかのより暗い見た目の貫通孔がほぼ線形のパターンでアレイプレート上に配置されているＲＯＸストリッピングを表す。場合によっては、ＲＯＸストリッピングは、プレートがプレートホルダーの右側にあるストップブロックにしっかりと固定されていない、オートローダーの位置がずれている、またはオートローダーの先端に気泡および／または泡が多すぎることを示している可能性がある。画像４０４、画像４０６、および画像４０８では、影響を受ける貫通孔が少なくとも７つある場合、画像は不良と見なされるが、判定が貫通孔の関連する明るさに基づいていることから、いくつかの不良の識別は主観的なものであるため、絶対的なカットオフはない。
【００４６】
画像４１０は、スポットポイントブリッジと呼ばれる不良状態を表している。スポットポイントブリッジ４１４は、いくつか（２つまたは４つ）の隣接する貫通孔を接続する背景領域に灰色の「ブリッジ」として現れる。スポットポイントブリッジ４１４は、オートローダーチップブロックの不適切な除去によって引き起こされる可能性があり、これにより、試料混合物のいくつかが貫通孔からこぼれる。画像４１２は再構築エラーを表しており、少なくとも１つのランダムな空の貫通孔によって特徴付けられている。再構築エラーは、アレイプレートの問題またはオートローダーでのアレイの構成の問題を示している可能性がある。
【００４７】
図５は、例示的な畳み込みニューラルネットワーク５００を示す。畳み込みニューラルネットワーク５００は、畳み込み層５０４で視覚化されるように、そのニューロンを三次元（幅、高さ、奥行き）に配置する。畳み込みニューラルネットワーク５００の各層は、入力の３Ｄ体積をニューロン活性化の３Ｄ出力体積に変換する。この例では、入力層５０２は画像をエンコードするので、その幅および高さは画像の寸法になり、奥行きは３（赤、緑、青のチャネル）になる。畳み込み層５０４は、入力層５０２の出力をさらに変換し、出力層５０６は、畳み込み層５０４の出力を画像コンテンツのうちの１つ以上の分類に変換する。一実施形態では、畳み込みニューラルネットワーク５００は、１つの入力層５０２、６つの隠れ層（１つ以上が畳み込み層５０４であり得る）、および出力層５０６を利用し得る。１つ以上の畳み込み層５０４に加えて、畳み込みニューラルネットワーク５００は、プーリング層および完全に接続された層を利用し得る。
【００４８】
図６は、例示的な畳み込みニューラルネットワーク層６００をより詳細に示している。画像の入力層領域６０２領域の入力層領域６０４の例示的なサブ領域は、畳み込み層６０６内の畳み込み層サブ領域６０８のセットによって分析される。入力層領域６０２は、長さおよび幅が３２ｘ３２ニューロン（例えば、３２ｘ３２ピクセル）であり、奥行き３ニューロン（例えば、ピクセルあたり３つのカラーチャネル）である。畳み込み層６０６内の各ニューロンは、空間的に（高さおよび幅において）入力層領域６０２内の局所領域にのみ接続されているが、全奥行き（すなわち、入力が画像である場合はすべてのカラーチャネル）に接続されている。畳み込み層サブ領域６０８の各ニューロンが入力層領域６０４のサブ領域のすべてのニューロンからの入力を受信することができる入力層領域６０２の入力層領域６０４のサブ領域を分析する畳み込み層サブ領域６０８の奥行きに沿って複数のニューロン（この例では５つ）があることに留意されたい。
【００４９】
図７を参照すると、ニューラルネットワーク７００は、入力層７０２、第１の畳み込み層７０４、第１の畳み込み層７０６、第２の畳み込み層７０８、第２の畳み込み層７１０、第１の完全に接続された層７１２、および第２の完全に接続された層７１４を備える。
【００５０】
入力層７０２は、５４×５４アレイであり得る。５４ｘ５４アレイは、アレイプレートのサブアレイであり得る。例えば、アレイプレートは、サブアレイの４ｘ１２アレイとして配置され得る。したがって、各アレイプレートは４８個のサブアレイに分割することができ、各サブアレイは、それが正常であるか不良であるかを判定するためにニューラルネットワーク７００に送られる。アレイ内の各値は、カラーチャネル、例えばＲ、Ｇ、Ｂカラーチャネル、または黒／白のカラースケールの表現である場合がある。次に、入力層７０２は、第１の畳み込み層７０４に畳み込まれる。第１の畳み込み層７０４は、各々が５４×５４である３２個のアレイを備える。第１の畳み込み層７０４は、第１のプーリング層７０６にプールされる。プーリング機能は、第１の畳み込み層７０４の３×３領域で動作するマックスプール機能であり得る。次に、第１のプーリング層７０６は、各々が１８×１８である３２個のアレイを備え得る。次に、第１のプーリング層７０６は、第２の畳み込み層７０８に畳み込まれる。第２の畳み込み層７０８は、各々が１８×１８である６４個のアレイを有し得る。第２の畳み込み層７０８は、第２のプーリング層７１０にプールされる。プーリング機能は、第２の畳み込み層７０８の３×３領域で動作するマックスプール機能であり得る。次に、第２のプーリング層７１０は、各々が６×６である６４個のアレイを備え得る。６４個の６×６アレイの各々は、１９２個のノードを有し得る第１の完全に接続された層７１２に送られる。次に、第１の完全に接続された層７１２は、４８個のノードを有し得る第２の完全に接続された層７１４に完全に接続される。次に、出力層７１６は、２つの状態、正常または不良を有し、第２の完全に接続された層７１４に完全に接続されている。出力層７１６はまた、不良のタイプ（クラス）を予測することができる。
【００５１】
ニューラルネットワーク７００は、製造データサーバから正常および不良のプレートの履歴ＱＣ画像を最初に検索することによって訓練し、かつ動作することができる。各画像について、アレイ内の貫通孔（反応ユニット）中心がスポット検出アルゴリズムによって検出され、アレイ画像全体が、識別された貫通孔中心に基づいて４８個のサブアレイ画像に分割される。４８個のサブアレイ画像が注釈ツールにローディングされ、検査され、正常または、明るいＲｏｘ、Ｒｏｘスポッティング、Ｒｏｘストリッピング、ストップポイントブリッジング、および再構築エラーが含まれる５つの不良モードを有する不良として標識付けされる。前の２つのステップは、注釈付きのトレーニングおよび検証データセットを構築するためにＱＣ画像に対して繰り返される。１つ以上の隠れ層を持つ畳み込みニューラルネットワークが初期化され、トレーニングされるネットワークとして利用される。完全に接続された層は、入力サブアレイ画像の予測を出力するための出力層として利用される。Ｓｏｆｔｍａｘクロスエントロピーコスト関数を適用して、予測と注釈付き標識の間の損失を計算する。Ａｄａｍオプティマイザーまたは他の勾配降下オプティマイザーを使用して、上述のネットワークの重みを更新し、各トレーニングステップでトレーニングデータセットからランダムに選択されたトレーニング試料のミニバッチに対する損失を最小化する。トレーニングプロセスは、予め定められたトレーニングステップ数に達するまで継続され、特定のトレーニングステップごとにトレーニングされたネットワークが保存される。トレーニングプロセス中に保存されたトレーニングされたモデルは、トレーニングプロセスに含まれていない検証データセット内のサブアレイ画像の独立したサブセットによって評価される。次に、評価損失またはエラー率が最小のトレーニングされたモデルが、最良なトレーニングされたモデルとして選択される。トレーニング中に、ドロップアウトまたは重み減衰などの技術を使用して、トレーニングされたモデルの一般性を向上させることができる。
【００５２】
動作中、貫通孔の中心が識別された新しいＱＣ画像では、アレイ画像全体が４８個のサブアレイ画像に分割される。選択された、トレーニングされたモデルをこれらのサブアレイ画像に適用して、正常または不良を予測する。すべてのサブアレイ画像が良好な場合、アレイＱＣは正常である可能性であり、それ以外の場合、アレイＱＣは不良になる。ニューラルネットワーク７００はまた、どのサブアレイがどの不良モードによって不良になるかを予測することができる。
【００５３】
ノイズ、回転、並進オフセット、明るさもしくはコントラストの変化、または敵対的生成ネット（ＧＡＮ）によるシミュレートされたサブアレイ画像の追加などのさらなるデータ拡張技術を利用して、トレーニングされたモデルの堅牢性を向上させることができる。
【００５４】
転移学習は、複数のデータソースを活用してデータ不足の問題を克服する手法である。転移学習を使用することにより、同様の問題について既にトレーニングされたネットワークが修正され、次いで標識付けされたデータの一部で再トレーニングされる。ここで、ニューラルネットワーク７００は、ＩｍａｇｅＮｅｔデータなどの他の画像データセットから学習されたモデルを使用し、最終分類層を新しい完全に接続された層に置き換えて、アレイベースのＰＣＲデータの正常モードおよび不良モードを予測することができる。
【００５５】
図８を参照すると、ＰＣＲ品質管理システム８００は、ＰＣＲシステム８０２、ＣＮＮ８０４、およびコンピュータシステム８０６を備える。ＰＣＲシステム８０２は、ＱＣ画像を生成し、それらをＣＮＮ８０４に送信する。ＣＮＮ８０４は、上述のニューラルネットワーク７００の実施形態であり得る。ＣＮＮ８０４は、ＱＣ画像が正常であるか不良であるかを判定する。結果は、コンピュータシステム８０６に送信される。結果には、ＱＣ画像が正常であるか不良であるか、どのサブアレイが不良であるか、どの不良モードによって不良であるかが含まれる場合がある。コンピュータシステム８０６は、結果をユーザに表示し、結果を保存し、結果の加算変換を実施し、ＰＣＲシステム８０２を制御するか、または反応プレートアレイの製造を向上させるためのプロセスパラメータを設定することができる。コンピュータシステム８０６はまた、結果に基づいて、例えば、不良結果を提供するＰＣＲシステム８０２の動作を停止するか、または不良の場合にＰＣＲシステム８０２を修正するなどして、ＰＣＲシステム８０２を変更することができる。ＰＣＲシステム８０２は、それぞれ異なる時間に一連のＱＣ画像を生成することができる。これらのＱＣ画像は、ＣＮＮ８０４に直列に送信できる。各画像について、ＣＮＮ８０４は、結果をコンピュータシステム８０６に提供する。
【００５６】
図９を参照すると、ＰＣＲ品質管理システム９００は、ＰＣＲシステム８０２、コンピュータシステム８０６、ＣＮＮ９０２、およびＣＮＮ９０４を備える。ＰＣＲ品質管理システム９００は、ＰＣＲ品質管理システム８００と同様に動作し得る。しかしながら、ＰＣＲ品質管理システム９００は、複数のＣＮＮ（ＣＮＮ９０２、ＣＮＮ９０４など）を初期化することができる。次に、各ＣＮＮはサブアレイのうちの１つで利用される。いくつかのＱＣ画像は４８個のサブアレイを備え、４８個のＣＮＮを動作させてもよい。次に、コンピュータシステム８０６は、ＣＮＮの各々からの結果を組み合わせることができる。結果には、１つのサブアレイが不良状態を有するかどうか、どのサブアレイが不良であるか、どの条件によって各サブアレイが不良であるかが含まれる場合がある。
【００５７】
図１０を参照すると、検証結果１０００が示されている。行は注釈付きの分類を表し、列は選択されたネットワークからの予測を表す。左上のボックスは、注釈付き標識が正常であり、予測された分類が正常であるときである。所与の試験に対して、１１６６個のこのような結果があった。右上のボックスは、注釈付き標識が正常であり、予測された分類が不良である場合である。所与の試験に対して、７３個のこのような結果があった。左下のボックスは、注釈付き標識が不良であり、予測された分類が正常である場合である。所与の試験に対して、７０個のこのような結果があった。右下のボックスは、注釈付き標識が不良であり、予測される分類が不良である場合である。所与の試験に対して、１１９６個のこのような結果があった。結果として得られる感度（真陽性／注釈付き陽性）は９４．１％である。結果として得られる特異性（真陰性／注釈付き陰性）は９４．５％である。結果として得られる精度（（真陽性＋真陰性）／総母集団）は９４．３％である。
【００５８】
図１１を参照すると、検証結果１１００が示されている。検証結果１１００は、注釈付き分類を予測された分類と比較する。分類には、正常モード、ならびに明るいＲＯＸ、ＲＯＸスポッティング、ＲＯＸストリッピング、ストップポイントブリッジング、および再構築の５つの不良モードが含まれる。
【００５９】
図１２を参照すると、ＰＣＲ品質管理システム１２００は、ＰＣＲシステム８０２、コンピュータシステム８０６、完全に接続されたネットワーク１２０２、およびＣＮＮ１２０４を備える。ＰＣＲシステム８０２は、ＱＣ画像を生成し、それらを完全に接続されたネットワーク１２０２に送信する。完全に接続されたネットワーク１２０２は、１つ以上の隠れ層を備えた完全に接続された層を備え得る。オートエンコーダなどの教師なし学習をＱＣ画像に適用して、単純または複雑な機能を学習してもよく、それを次いでＣＮＮ１２０４またはその他の完全に接続されたネットワークの入力として使用して、ＱＣ画像を正常モードおよび異なる不良モードに分類してもよい。ＣＮＮ１２０４は、上述のニューラルネットワーク７００の実施形態であり得る。ＣＮＮ１２０４は、ＱＣ画像が正常であるか不良であるかを判定する。結果は、コンピュータシステム８０６に送信される。結果には、ＱＣ画像が正常であるか不良であるか、どのサブアレイが不良であるか、どの不良モードによって不良であるかが含まれる場合がある。コンピュータシステム８０６は、結果をユーザに表示し、結果を保存し、結果の加算変換を実施し、反応プレートアレイの将来の製造パラメータを調整し、かつＰＣＲシステム８０２を制御することができる。コンピュータシステム８０６はまた、結果に基づいて、例えば、不良結果を提供するＰＣＲシステム８０２の動作を停止するか、または不良の場合にＰＣＲシステム８０２を修正するなどして、ＰＣＲシステム８０２を変更することができる。ＰＣＲシステム８０２は、各々異なる時間に一連のＱＣ画像を生成することができる。これらのＱＣ画像は、ＣＮＮ１２０４に直列に送信できる。各画像について、ＣＮＮ１２０４は、結果をコンピュータシステム８０６に提供する。ＰＣＲ品質管理システム１２００はまた、図９に示されるものと同様に、複数のＣＮＮ１２０４を利用することができ、各ＣＮＮ１２０４は、サブアレイを受信する。さらに、複数の完全に接続されたネットワーク１２０２を初期化することができ、各々がサブアレイを受信する。各サブアレイの完全に接続されたネットワーク１２０２の出力は、ＣＮＮ１２０４に送信され得る。
【００６０】
図１３は、リカレントニューラルネットワーク１３００（ＲＮＮ）を示している。変数ｘ［ｔ］はステージｔでの入力である。例えば、ｘ［１］は、配列内の特定の要素を選択するワンホットベクトルである可能性がある。変数ｓ［ｔ］は、ステージｔでの非表示状態である。それはネットワークの「メモリ」である。変数ｓ［ｔ］は、前の非表示状態および現在のステージでの入力に基づいて計算される：ｓ［ｔ］＝ｆ（Ｕｘ［ｔ］＋Ｗｓ［ｔ−１］）。活性化関数ｆは通常、ｔａｎｈまたはＲｅＬＵなどの非線形性である。第１の非表示状態を計算するために必要な入力ｓ（−１）は、典型的に、すべてゼロに初期化される。変数ｏ［ｔ］は、ステージｔでの出力である。例えば、予測は語彙全体の確率のベクトルである可能性がある：ｏ［ｔ］＝ｓｏｆｔｍａｘ（Ｖｓ［ｔ］）。リカレントニューラルネットワーク１３００を使用して、ＰＣＲ反応の過程にわたるＱＣ画像の進化を調べることができる。１つまたは複数のＣＮＮがリカレントニューラルネットワーク１３００（またはＣＮＮごとに１つなどの複数のＲＮＮ）に入力することができ、リカレントニューラルネットワーク１３００は、ＣＮＮ画像分類が時間の経過によってどのように進化するかに基づいて分類予測を出力する。ＣＮＮは、ＣＮＮが正常／不良を予測しないが、リカレントニューラルネットワーク１３００への入力として分類特徴のセットを送信するように、修正された出力層を有することができる。特徴は、例えば、第２の完全に接続された層の結果であり得る。複数のＲＮＮが使用されている場合（例えば、ＣＮＮごとに１つ）、分析システムは多層パーセプトロン（汎用ＡＮＮ）を利用して、ＲＮＮ予測を組み合わせて不良モードの最終予測を行うことができる。
【００６１】
図１４を参照すると、ＰＣＲ品質管理システム１４００は、ＰＣＲシステム８０２、コンピュータシステム８０６、ＣＮＮ９０２、およびＲＮＮ１４０２を備える。ＰＣＲシステム８０２は、一連のＱＣ画像をＣＮＮ９０２に送信する。このシリーズは、反応プレートの定期的なサンプリングに基づいている。次に、各画像には、分類または特徴を判定するためにＣＮＮ９０２が適用される（例えば、完全に接続された最終的な出力層は適用されない）。次に、これはＲＮＮ１４０２に送信される。ＲＮＮ１４０２は、一連の分類または特徴を受信する。次に、ＲＮＮ１４０２は、ＰＣＲシステム８０２が不良である、またはＲＮＮ１４０２によって判定されたＱＣ画像の変化のためにＰＣＲシステム８０２が不良である可能性があるなどの出力を判定する。ＲＮＮ１４０２はまた、不良モードを判定し得る。コンピュータシステム８０６は、結果をユーザに表示し、結果を保存し、結果の加算変換を実施し、かつＰＣＲシステム８０２を制御することができる。コンピュータシステム８０６はまた、結果に基づいて、例えば、不良結果を提供するＰＣＲシステム８０２の動作を停止するか、または不良の場合にＰＣＲシステム８０２を修正するなどして、ＰＣＲシステム８０２を変更することができる。
【００６２】
図１５を参照すると、ＰＣＲ品質管理システム１５００は、ＰＣＲシステム８０２、コンピュータシステム８０６、ＣＮＮ９０２、ＣＮＮ９０４、およびＲＮＮ１５０２を備える。ＰＣＲシステム８０２は、一連のＱＣ画像をＣＮＮ９０２およびＣＮＮ９０４に送信する。ＣＮＮ９０２、ＣＮＮ９０４、および他のＣＮＮは、ＱＣ画像のサブアレイを直列に受信することができる。このシリーズは、反応プレートの定期的なサンプリングに基づいている。次に、各画像には、サブアレイの分類または特徴を判定するためにＣＮＮが適用される（例えば、完全に接続された最終的な出力層は適用されない）。次に、これはＲＮＮ１５０２に送信される。ＲＮＮ１５０２は、サブアレイごとに１つずつ、並列の複数のＲＮＮとすることもできる。ＲＮＮ１５０２は、一連の分類または特徴を受信する。次に、ＲＮＮ１５０２は、ＰＣＲシステム８０２が不良である、またはＲＮＮ１５０２によって判定されたＱＣ画像の変化のためにＰＣＲシステム８０２が不良である可能性があるなどの出力を判定する。ＲＮＮ１５０２はまた、不良モードを判定し得る。コンピュータシステム８０６は、結果をユーザに表示し、結果を保存し、結果の加算変換を実施し、かつＰＣＲシステム８０２を制御することができる。コンピュータシステム８０６はまた、結果に基づいて、例えば、不良結果を提供するＰＣＲシステム８０２の動作を停止するか、または不良の場合にＰＣＲシステム８０２を修正するなどして、ＰＣＲシステム８０２を変更することができる。
【００６３】
図１６は、一実施形態によるクラウド学習および制御システム１６００を示す。クラウド学習および制御システム１６００は、学習システム１６１２、例えば、本明細書に開示される実施形態のうちの１つ以上を含むクラウド分析システム１６１０を備える。いくつかのＰＣＲ実行または他の実験（例えば、ＰＣＲラボ器具１６０４、ＰＣＲラボ器具１６０６、およびＰＣＲラボ器具１６０８）からの実験データは、クラウド分析システム１６１０によってインターネット１６０２または他のネットワークを介して監視される。クラウド分析システム１６１０は、実験データを処理し、学習された構成パラメータをフィードバックとして提供して、現在または将来の実験のために構成設定ＰＣＲ器具を調整する。
【００６４】
図１７は、本発明の実施形態を組み込むことができるコンピューティングデバイス１７００の例示的なブロック図である。図１７は、本明細書に記載の技術的プロセスの態様を実行するための機械システムの単なる例示であり、特許請求の範囲を限定するものではない。当業者は、他の変形例、修正例、および代替例を認識するであろう。一実施形態では、コンピューティングデバイス１７００は、典型的には、モニタまたはグラフィカルユーザインターフェース１７０２、データ処理システム１７２０、通信ネットワークインターフェース１７１２、入力デバイス（複数可）１７０８、出力デバイス（複数可）１７０６などを含む。
【００６５】
図１７に示されるように、データ処理システム１７２０は、バスサブシステム１７１８を介していくつかの周辺デバイスと通信する１つ以上のプロセッサ（複数可）１７０４を含み得る。これらの周辺デバイスは、入力デバイス（複数可）１７０８、出力デバイス（複数可）１７０６、通信ネットワークインターフェース１７１２、ならびに揮発性メモリ１７１０および不揮発性メモリ１７１４などの記憶サブシステムを含み得る。
【００６６】
揮発性メモリ１７１０および／または不揮発性メモリ１７１４は、コンピュータ実行可能命令を保存することができ、したがって、プロセッサ（複数可）１７０４に適用され、かつ実行されると、本明細書に開示されるプロセスおよびニューラルネットワークの実施形態を実装するロジック１７２２を形成する。
【００６７】
入力デバイス（複数可）１７０８は、データ処理システム１７２０に情報を入力するためのデバイスおよび機構を含む。これらは、キーボード、キーパッド、モニタまたはグラフィカルユーザインターフェース１７０２に組み込まれたタッチスクリーン、音声認識システム、マイクロフォンなどの音声入力デバイス、および他のタイプの入力デバイスを含み得る。様々な実施形態では、入力デバイス（複数可）１７０８は、コンピュータマウス、トラックボール、トラックパッド、ジョイスティック、ワイヤレスリモート、描画タブレット、音声コマンドシステム、視線追跡システムなどとして具体化することができる。入力デバイス（複数可）１７０８は、典型的には、ユーザが、ボタンのクリックなどのコマンドを介して、モニタまたはグラフィカルユーザインターフェース１７０２に表示されるオブジェクト、アイコン、制御領域、テキストなどを選択することを可能にする。
【００６８】
出力デバイス（複数可）１７０６は、データ処理システム１７２０から情報を出力するためのデバイスおよび機構を含む。これらは、当技術分野でよく理解されているように、モニタまたはグラフィカルユーザインターフェース１７０２、スピーカ、プリンタ、赤外線ＬＥＤなどを含み得る。
【００６９】
通信ネットワークインターフェース１７１２は、通信ネットワーク（例えば、通信ネットワーク１７１６）およびデータ処理システム１７２０外部デバイスにインターフェースを提供する。通信ネットワークインターフェース１７１２は、他のシステムからデータを受信し、他のシステムにデータを送信するためのインターフェースとして機能し得る。通信ネットワークインターフェース１７１２の実施形態は、Ｅｔｈｅｒｎｅｔインターフェース、モデム（電話、衛星、ケーブル、ＩＳＤＮ）、（非同期）デジタル加入者線（ＤＳＬ、Ｄｉｇｉｔａｌ  ｓｕｂｓｃｒｉｂｅｒ  ｌｉｎｅ）、ＦｉｒｅＷｉｒｅ、ＵＳＢ、ＢｌｕｅｔｏｏｔｈまたはＷｉ−Ｆｉなどの無線通信インターフェース、近距離通信無線インターフェース、セルラーインターフェースなどを含み得る。
【００７０】
通信ネットワークインターフェース１７１２は、アンテナ、ケーブルなどを介して通信ネットワーク１７１６に結合され得る。いくつかの実施形態では、通信ネットワークインターフェース１７１２は、データ処理システム１７２０の回路基板上に物理的に統合され得るか、または場合によっては、「ソフトモデム（ｓｏｆｔ  ｍｏｄｅｍ）」などのソフトウェアまたはファームウェアにおいて実装され得る。
【００７１】
コンピューティングデバイス１７００は、ＨＴＴＰ、ＴＣＰ／ＩＰ、ＲＴＰ／ＲＴＳＰ、ＩＰＸ、ＵＤＰなどのプロトコルを使用してネットワークを介した通信を可能にするロジックを含み得る。
【００７２】
揮発性メモリ１７１０および不揮発性メモリ１７１４は、本明細書に記載のプロセスの様々な実施形態を実装するためのコンピュータ可読データおよび命令を保存するように構成された有形媒体の例である。他のタイプの有形メディアには、取り外し可能なメモリ（プラグイン可能なＵＳＢメモリデバイス、モバイルデバイスＳＩＭカードなど）、ＣＤ−ＲＯＭ、ＤＶＤなどの光ストレージメディア、フラッシュメモリなどの半導体メモリ、非一時的な読み取り専用メモリ（ＲＯＭ）、バッテリバックアップされた揮発性メモリ、ネットワーク化されたストレージデバイスなどが含まれる。揮発性メモリ１７１０および不揮発性メモリ１７１４は、本発明の範囲に該当する開示されたプロセスおよび他の実施形態の機能を提供する基本的なプログラミングおよびデータ構築を保存するように構成され得る。
【００７３】
本発明の実施形態を実装するロジック１７２２は、揮発性メモリ１７１０および／または不揮発性メモリ１７１４によって具現化され得る。上述のロジック１７２２の命令は、揮発性メモリ１７１０および／または不揮発性メモリ１７１４から読み取られ、プロセッサ１７０４によって実行され得る。揮発性メモリ１７１０および不揮発性メモリ１７１４はまた、ロジック１７２２によって使用されるデータを保存するためのリポジトリを提供し得る。
【００７４】
揮発性メモリ１７１０および不揮発性メモリ１７１４は、プログラム実行中に命令およびデータを保存するためのメインランダムアクセスメモリ（ＲＡＭ）および読み取り専用の非一時的な命令が保存される読み取り専用メモリ（ＲＯＭ）を含むいくつかのメモリを含み得る。揮発性メモリ１７１０および不揮発性メモリ１７１４は、プログラムおよびデータファイルのための永続的（不揮発性）ストレージを提供するファイルストレージサブシステムを含み得る。揮発性メモリ１７１０および不揮発性メモリ１７１４は、取り外し可能なフラッシュメモリなどの取り外し可能なストレージシステムを含み得る。
【００７５】
バスサブシステム１７１８は、データ処理システム１７２０の様々な構成要素およびサブシステムが意図されたように互いに通信することを可能にするための機構を提供する。通信ネットワークインターフェース１７１２は、単一のバスとして概略的に示されているが、バスサブシステム１７１８のいくつかの実施形態は、複数の別個のバスを利用することができる。
【００７６】
コンピューティングデバイス１７００が、スマートフォン、デスクトップコンピュータ、ラップトップコンピュータ、ラックマウント型コンピュータシステム、コンピュータサーバ、またはタブレットコンピュータデバイスなどのデバイスであり得ることは、当業者には容易に明らかであろう。当技術分野で一般に知られているように、コンピューティングデバイス１７００は、複数のネットワーク化されたコンピューティングデバイスの集合として実装され得る。さらに、コンピューティングデバイス１７００は、典型的には、そのタイプおよび性質が当技術分野で周知であるオペレーティングシステムロジック（図示せず）を含むであろう。
【００７７】
追加の用語と解釈
本明細書で使用される用語は、関連技術におけるそれらの通常の意味、または文脈におけるそれらの使用によって示される意味を与えられるべきであるが、明示的な定義が提供される場合、その意味が支配する。
【００７８】
「サポートベクターマシン」とは、分類および回帰分析に使用されるデータを分析する、関連する学習アルゴリズムを備えた教師あり学習モデルを指す。各々が２つのカテゴリの一方または他方に属するとマークされたトレーニング例のセットを考慮すると、ＳＶＭトレーニングアルゴリズムは、新しい例を一方のカテゴリまたは他方に割り当てるモデルを構築し、非確率的バイナリ線形分類器にする。ＳＶＭモデルは、空間内のポイントとしての例の表現であり、個別のカテゴリの例が可能な限り広い明確なギャップによって分割されるようにマッピングされる。次に、新しい例が同じ空間にマッピングされ、ギャップのどちら側にあるかに基づいてカテゴリに属すると予測される。ＳＶＭは、線形分類の実施に加えて、いわゆるカーネルトリックを使用して非線形分類を効率的に実施し、入力を高次元の特徴空間に暗黙的にマッピングできる。
【００７９】
「カーネル」とは、高次元の暗黙的な特徴空間で、その空間のデータの座標を計算することなく、特徴空間内のすべてのデータ対の投影間の内積を計算するだけで動作するカーネル関数を指す。この動作は、多くの場合、座標の明示的な計算よりも計算コストが低くなる。ＳＶＭで使用する場合、このアプローチは「カーネルトリック」と呼ばれる。
【００８０】
「ＲｅＬＵ」は、ｉｎｔ入力の正の部分として定義された活性化関数である整流関数を指す。これはランプ関数とも呼ばれ、電気信号理論の半波整流に類似している。ＲｅＬｕは、深層ニューラルネットワークにおける一般的な活性化関数である。
【００８１】
「損失関数」は、コスト関数またはエラー関数（ガウスエラー関数と混同しない）とも呼ばれ、１つ以上の変数の値をそれらの値に関連付けられたいくつかの「コスト」を直感的に表す実数にマッピングする関数である。
【００８２】
「双曲線正接関数」とは、ｔａｎｈ（ｘ）＝ｓｉｎｈ（ｘ）／ｃｏｓｈ（ｘ）の形式の関数を指す。ｔａｎｈ関数は、人工ニューラルネットワークにおける一般的な活性化関数である。シグモイドと同様に、ｔａｎｈ関数もシグモイド（「ｓ」字型）であるが、代わりに（−１，１）の範囲の値を出力する。したがって、ｔａｎｈへの強い負の入力は負の出力にマッピングされる。追加的に、ゼロ値の入力のみがゼロに近い出力にマッピングされる。これらの特性により、トレーニング中にネットワークが「スタック」する可能性が低くなる。
【００８３】
「シグモイド関数」とは、ｆ（ｘ）＝１／（ｅｘｐ（−ｘ））の形式の関数を指す。シグモイド関数は、人工ニューラルネットワークにおける活性化関数として使用される。広範囲の入力値を０−１、場合によっては−１から１の範囲にマッピングする特性がある。
【００８４】
「バックプロパゲーション」とは、人工ニューラルネットワークで使用されるアルゴリズムを指し、ネットワークで使用される重みの計算に必要な勾配を計算する。これは一般に、１つ以上の隠れ層を持つニューラルネットワークを指す用語である深層ニューラルネットワークをトレーニングするために使用される。バックプロパゲーションの場合、損失関数は、ケースがネットワークを介して伝播した後、ネットワーク出力とその期待される出力との間の差を計算する。
【００８５】
「Ｓｏｆｔｍａｘ関数」とは、ｆ（ｘｉ）＝ｅｘｐ（ｘｉ）／ｓｕｍ（ｅｘｐ（ｘ））の形式の関数を指し、合計はｘのセットに対して取得される。Ｓｏｆｔｍａｘは、人工ニューラルネットワークの異なる層（多くの場合、出力層）で使用され、それらの層への入力の分類を予測する。Ｓｏｆｔｍａｘ関数は、「ｎ」個の異なるイベントにわたるイベントｘｉの確率分布を計算する。一般的な意味で、この関数は、考えられるすべての標的クラスに対する各標的クラスの確率を計算する。計算された確率は、標的クラスが入力で表されていることを予測するのに役立つ。Ｓｏｆｔｍａｘを使用する主な利点は、出力確率の範囲である。範囲は０から１になり、すべての確率の合計は１に等しくなる。複数分類モデルに使用されるＳｏｆｔｍａｘ関数の場合、各クラスの確率が返され、標的クラスの確率が高くなる。この式は、指定された入力値の指数（ｅ−ｐｏｗｅｒ）、および入力内のすべての値の指数値の合計を計算する。次に、入力値の指数関数と指数値の合計の比率がＳｏｆｔｍａｘ関数の出力になる。
【００８６】
「ＣＴＣ損失関数」とは、タイミングが可変である配列の問題に取り組むためにＬＳＴＭネットワークなどのリカレントニューラルネットワーク（ＲＮＮ）をトレーニングするための、接続主義時間分類、ニューラルネットワーク出力のタイプおよび関連付けられたスコアリング関数を指す。ＣＴＣネットワークには連続出力（例えば、Ｓｏｆｔｍａｘ）があり、標識の確率をモデル化するためのトレーニングを通じて適合される。ＣＴＣは、境界およびタイミングの学習を試みない。標識配列は、空白を無視して、配置のみが異なる場合、同等であると見なされる。同等の標識配列は様々な方法で発生する可能性がある。これにより、スコアリングは重要なタスクになる。幸いなことに、そのための効率的な順方向および逆方向アルゴリズムがある。次に、ＣＴＣスコアをバックプロパゲーションアルゴリズムとともに使用して、ニューラルネットワークの重みを更新できる。ＣＴＣに適合したニューラルネットワークへの代替アプローチには、隠れマルコフモデル（ＨＭＭ）が含まれる。
【００８７】
「ゲート付き回帰ユニット（ＧＲＵ）」とは、リカレントニューラルネットワークのゲート機構を指す。ＧＲＵは、ＬＳＴＭよりも小さいデータセットで優れたパフォーマンスを示す場合がある。出力ゲートがないため、ＬＳＴＭよりもパラメータが少なくなる。
【００８８】
「ビーム検索」とは、限られたセットの中で最も有望なノードを展開することによってグラフを探索するヒューリスティック検索アルゴリズムを指す。ビーム検索は、メモリ要件を削減する最良優先探索の最適化である。最良優先探索は、ヒューリスティックに従ってすべての部分解（状態）を順序付けるグラフ検索である。ただし、ビーム検索では、事前に決定された数の最良の部分解のみが候補として保持される。したがって、これは欲張り法である。ビーム検索では、幅優先探索を使用して検索ツリーを構築する。ツリーの各レベルで、現在のレベルの状態のすべての後続を生成し、ヒューリスティックコストの昇順で並べ替える。ただし、各レベル（ビーム幅と呼ばれる）で最良な状態の事前に決定された数βのみが保存される。次に、それらの状態のみが展開される。ビーム幅が大きいほど、プルーニングされる状態は少なくなる。ビーム幅が無限大の場合、状態はプルーニングされず、ビーム検索は幅優先探索と同じである。ビーム幅は、検索の実施に必要なメモリを制限する。ゴール状態は潜在的にプルーニングされる可能性があるため、ビーム検索は完全性（解が存在する場合、アルゴリズムが解をもって終了するという保証）を犠牲にする。ビーム検索は最適ではない（すなわち、最良な解が見出される保証はない）。一般に、ビーム検索は最初に見出された解を返す。機械翻訳のビーム検索は異なるケースである。構成された最大検索深度（つまり、翻訳長）に達すると、アルゴリズムは様々な深度で検索中に見出された解を評価し、最良のもの（最も確率が高いもの）を返す。ビーム幅は固定または可変のいずれかである。可変ビーム幅を使用する１つのアプローチは、最小の幅から始まる。解が見出されない場合は、ビームが広げられ、手順が繰り返される。
【００８９】
「Ａｄａｍオプティマイザー」とは、古典的な確率的勾配降下法の代わりに使用できる最適化アルゴリズムを指し、トレーニングデータに基づいてネットワークの重みを反復的に更新する。確率的勾配降下法は、すべての重みの更新に対して単一の学習率（アルファと呼ばれる）を維持し、学習率はトレーニング中に変化しない。学習率は、ネットワークの重み（パラメータ）ごとに維持され、学習が進むにつれて個別に適応される。Ａｄａｍは、確率的勾配降下法の他の２つの拡張の利点を組み合わせている。具体的には、スパース勾配の問題（例えば、自然言語およびコンピュータビジョンの問題）のパフォーマンスを向上させるパラメータごとの学習率を維持する適応勾配アルゴリズム（ＡｄａＧｒａｄ）、および、重みの勾配の最近の大きさの平均（例えば、それがどれだけ速く変化しているか）に基づいて適応されるパラメータごとの学習率を維持する二乗平均平根伝搬（ＲＭＳＰｒｏｐ）である。これは、アルゴリズムがオンラインおよび非定常の問題（例えば、ノイズ問題）でうまく機能することを意味する。Ａｄａｍは、ＡｄａＧｒａｄとＲＭＳＰｒｏｐの両方の利点を認識している。Ａｄａｍは、ＲＭＳＰｒｏｐのように平均一次モーメント（平均）に基づいてパラメータ学習率を適応させる代わりに、勾配の二次モーメントの平均（中心のない分散）も利用する。具体的には、アルゴリズムは勾配と二乗勾配の指数移動平均を計算し、パラメータベータ１およびベータ２はこれらの移動平均の減衰率を制御する。移動平均の初期値と、１．０に近いベータ１およびベータ２の値（推奨）により、モーメント推定値がゼロに向かってバイアスされる。このバイアスは、最初にバイアスされた推定値を計算してから、バイアス補正された推定値を計算することによって克服される。
【００９０】
「アッセイ」は、ＰＣＲ反応混合物において、２つの標的特異的プライマーまたは２つのプライマー、および標的を増幅するために使用されるプローブを指す。
【００９１】
「順方向プライマー」は、アンプリコンの５’末端に隣接するオリゴヌクレオチドを指す。逆方向プライマーおよび順方向プライマーは、標的を増幅するためのＰＣＲ反応において一緒に使用される。
【００９２】
「希釈剤」とは、試料または標準をＰＣＲ反応に加える前に希釈するために使用される試薬を指す。
【００９３】
「データ収集」とは、器具の実行中に、器具が反応プレートの各ウェルからの蛍光データを検出するプロセスを指す。器具は信号を電子データに変換し、実験ファイルにデータを保存する。
【００９４】
「ＲＯＸ色素」とは、反応中に蛍光が変化しない不活性色素を指し、ピペッティングエラーまたは器具の制限などのアーティファクトが原因で発生する可能性のあるウェル間の差異を正規化するために、定量的リアルタイムＰＣＲ反応に追加できる。ＲＯＸ受動参照色素は、１０ｍＭ  Ｔｒｉｓ−ＨＣｌ（ｐＨ８．６）、０．１ｍＭ  ＥＤＴＡ、および０．０１％ＴｗｅｅｎＴＭ−２０中の５−カルボキシ−Ｘ−ローダミンの２５μＭ溶液で構成されている。多くの器具では最終濃度５００ｎＭの色素を使用する必要があるが、フィルターセットが最適化された新しい器具では５０ｎＭで使用する必要がある。
【００９５】
「参照色素」とは、ＲＯＸ色素を参照することを指す。
【００９６】
「受動参照」とは、ＰＣＲ増幅とは無関係に蛍光信号を生成し、各反応に一定濃度で添加される色素を指す。受動参照信号はすべてのウェルで一貫している必要があるため、レポーター色素信号を正規化して、ウェル間のわずかな体積の違いによって引き起こされるＰＣＲに関連しない蛍光変動を考慮するために使用される。受動参照信号への正規化は概して、技術的な複製の中で著しく高い精度のデータをもたらする。
【００９７】
「レポーター」とは、増幅を検出するために使用される蛍光色素を指す。ＴａｑＭａｎ（登録商標）試薬では、レポーター色素が５’末端に結合する。
【００９８】
「逆方向プライマー」は、アンプリコンの３’末端に隣接するオリゴヌクレオチドを指す。逆方向プライマーおよび順方向プライマーは、標的を増幅するためのＰＣＲ反応において一緒に使用される。
【００９９】
本明細書の「回路」は、少なくとも１つの個別の電気回路を有する電気回路、少なくとも１つの集積回路を有する電気回路、少なくとも１つの用途固有の集積回路を有する電気回路、コンピュータプログラムによって構成された汎用コンピューティングデバイスを形成する回路（例えば、本明細書に記載のプロセスまたはデバイスを少なくとも部分的に実行するコンピュータプログラムによって構成された汎用コンピュータ、または本明細書に記載のプロセスまたはデバイスを少なくとも部分的に実行するコンピュータプログラムによって構成されたマイクロプロセッサ）、メモリデバイスを形成する回路（例えば、ランダムアクセスメモリの形式）、または通信デバイス（例えば、モデム、通信スイッチ、または光電気機器）を形成する回路を指す。
【０１００】
本明細書における「ファームウェア」は、読み取り専用メモリまたはメディアに保存されたプロセッサ実行可能命令として具体化されたソフトウェアロジックを指す。
【０１０１】
本明細書における「ハードウェア」は、アナログまたはデジタル回路として具体化された論理を指す。
【０１０２】
本明細書における「ロジック」は、制御および／または手順信号、および／または設定および値（例えば、抵抗、インピーダンス、静電容量、インダクタンス、電流／電圧定格など）を備える、その材料および／または材料エネルギー構成経由の、デバイスの動作に影響を与えるように、適用され得る、機械メモリ回路、非一時的機械可読媒体、および／または回路を指す。磁気媒体、電子回路、電気および光メモリ（揮発性および不揮発性の両方）、ならびにファームウェアは、ロジックの例である。ロジックは、純粋な信号またはソフトウェア自体を明確に除外するが、ソフトウェアを含み、それによって問題の構成を形成する、マシンメモリを除外しない。
【０１０３】
本明細書における「ソフトウェア」は、マシンメモリ（例えば、揮発性または不揮発性メモリまたはメディアの読み取り／書き込み）においてプロセッサ実行可能命令として実装されるロジックを指す。
【０１０４】
本明細書において、「一実施形態」または「実施形態」への言及は、必ずしも同じ実施形態を指すとは限らない。文脈が明確に別段の定めをしない限り、説明および特許請求の範囲全体を通して、「含む（ｃｏｍｐｒｉｓｅ）」、「含む（ｃｏｍｐｒｉｓｉｎｇ）」などの単語は、排他的または網羅的な意味ではなく、包括的な意味（つまり、「含むがこれに限定されない」という意味）で解釈されるべきである。単数形または複数形を使用する単語は、明示的に単一または複数形に限定されない限り、それぞれ複数形または単数形も含む。追加的に、「本明細書において」、「上述の」、「以下に」という語および同様の意味の語は、この出願で使用される場合、本出願の特定の部分ではなく、本出願全体を指す。クレームが２つ以上の項目のリストを参照して「または」という単語を使用する場合、明示的にどちらかに限定されない限り、その単語は、語の以下の解釈：リスト内の任意の項目、リスト内のすべての項目、およびリスト内の項目の任意の組み合わせのすべてを網羅する。本明細書で明示的に定義されていない用語は、関連技術（複数可）の技術を有する者によって一般的に理解されるような従来の意味を有する。
【０１０５】
本明細書で説明される様々なロジック機能動作は、当該動作または機能を反映する名詞または名詞句を使用して参照されるロジックで実装され得る。例えば、アソシエーション動作は、「アソシエータ」または「コレレータ」によって実行され得る。同様に、切り替えは、「スイッチ」による選択、「セレクタ」による選択などによって実行され得る。
【０１０６】
前述の開示は、例示的な態様および／または実施形態を論じているが、添付の特許請求の範囲によって定義される記載された態様および／または実施形態の範囲から逸脱することなく、本明細書において様々な変更および修正を行うことができることに留意されたい。さらに、記載された態様および／または実施形態の要素は、単数形で説明または請求され得るが、単数形への限定が明示的に述べられていない限り、複数形が企図される。追加的に、任意の態様および／または実施形態のすべてまたは一部は、別段の記載がない限り、他の任意の態様および／または実施形態のすべてまたは一部とともに利用することができる。
【図１】
2021535513.tif 000003
【図２】
2021535513.tif 000004
【図３】
2021535513.tif 000005
【図４】
2021535513.tif 000006
【図５】
2021535513.tif 000007
【図６】
2021535513.tif 000008
【図７】
2021535513.tif 000009
【図８】
2021535513.tif 000010
【図９】
2021535513.tif 000011
【図１０】
2021535513.tif 000012
【図１１】
2021535513.tif 000013
【図１２】
2021535513.tif 000014
【図１３】
2021535513.tif 000015
【図１４】
2021535513.tif 000016
【図１５】
2021535513.tif 000017
【図１６】
2021535513.tif 000018
【図１７】
2021535513.tif 000019
【国際調査報告】
2021535513.tif 000020
2021535513.tif 000021
2021535513.tif 000022